(57)【特許請求の範囲】
【請求項１】
サブフレーム中の複数の利用可能なデータリソース要素（ＲＥ）を識別することと、
グループ内のすべての割り当てられたデータＲＥが、時間領域において同じ直交周波数分割多重（ＯＦＤＭ）シンボル内にあり、周波数領域において互いのサブキャリアの所定数内にあり、ＲＥの所定数のグループの各々は、送信ダイバーシティ方式に関連付けられたアンテナポートのグループからのデータ送信に対応し、それによって少なくとも１つの非グループ化ＲＥを生じるように、ＲＥの所定数のグループ中でのワイヤレスデバイスへのデータ送信のために前記複数の利用可能なデータＲＥからのＲＥを割り当てることとを備える、ワイヤレス通信の方法。
【請求項２】
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、請求項１に記載の方法。
【請求項３】
他のワイヤレスデバイスへの他の送信に前記少なくとも１つの非グループ化ＲＥを割り当てることをさらに備える、請求項１に記載の方法。
【請求項４】
前記ワイヤレスデバイスへの非データ送信のために前記少なくとも１つの非グループ化ＲＥを使用することをさらに備える、請求項１に記載の方法。
【請求項５】
任意の送信のために前記少なくとも１つの非グループ化ＲＥを使用することを控えることをさらに備える、請求項１に記載の方法。
【請求項６】
サブキャリアの前記所定数が１および２のうちの一方である、請求項１に記載の方法。
【請求項７】
前記グループ化が、同じリソースブロック内のＲＥに制限される、請求項１に記載の方法。
【請求項８】
所定のミュートパターンでＣＳＩ−ＲＳ送信をミュートすることをさらに備える、請求項７に記載の方法。
【請求項９】
ＲＥの前記所定数が、別の基準信号の送信のために使用される送信アンテナポートの数の関数である、請求項１に記載の方法。
【請求項１０】
前記別の基準信号が共通基準信号（ＣＲＳ）を備える、請求項９に記載の方法。
【請求項１１】
ＲＥの前記所定数の前記グループが、Ａｌａｍｏｕｔｉ送信ダイバーシティ方式を使用して送信される空間周波数ブロック符号（ＳＦＢＣ）又は時空間ブロック符号とのペアを備える、請求項１に記載の方法。
【請求項１２】
前記グループ化ＲＥ上での前記ワイヤレスデバイスへの前記データ送信のために使用される送信方式とは異なる送信方式を使用した前記ワイヤレスデバイスへの送信のために前記少なくとも１つの非グループ化ＲＥを使用することをさらに備える、請求項１に記載の方法。
【請求項１３】
サブフレーム中の複数の利用可能なデータリソース要素（ＲＥ）を識別するための手段と、
グループ内のすべての割り当てられたデータＲＥが、時間領域において同じ直交周波数分割多重（ＯＦＤＭ）シンボル内にあり、周波数領域において互いのサブキャリアの所定数内にあり、ＲＥの所定数のグループの各々は、送信ダイバーシティ方式に関連付けられたアンテナポートのグループからのデータ送信に対応し、それによって少なくとも１つの非グループ化ＲＥを生じるように、ＲＥの所定数のグループ中でのワイヤレスデバイスへのデータ送信のために、前記複数の利用可能なデータＲＥからのＲＥを割り当てるための手段とを備える、ワイヤレス通信装置。
【請求項１４】
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、請求項１３に記載の装置。
【請求項１５】
他のワイヤレスデバイスからの他の送信に前記少なくとも１つの非グループ化ＲＥを割り当てるための手段をさらに備える、請求項１３に記載の装置。
【請求項１６】
前記ワイヤレスデバイスへの非データ送信のために前記少なくとも１つの非グループ化ＲＥを使用するための手段をさらに備える、請求項１３に記載の装置。
【請求項１７】
任意の送信のために前記少なくとも１つの非グループ化ＲＥを使用することを控えるための手段をさらに備える、請求項１３に記載の装置。
【請求項１８】
サブキャリアの前記所定数が１および２のうちの一方である、請求項１３に記載の装置。
【請求項１９】
前記グループ化が、同じリソースブロック内のＲＥに制限される、請求項１３に記載の装置。
【請求項２０】
所定のミュートパターンでＣＳＩ−ＲＳ送信をミュートするための手段をさらに備える、請求項１９に記載の装置。
【請求項２１】
ＲＥの前記所定数が、別の基準信号の送信のために使用される送信アンテナポートの数の関数である、請求項１３に記載の装置。
【請求項２２】
前記別の基準信号が共通基準信号（ＣＲＳ）を備える、請求項２１に記載の装置。
【請求項２３】
ＲＥの前記所定数の前記グループが、Ａｌａｍｏｕｔｉ送信ダイバーシティ方式を使用して送信される空間周波数ブロック符号（ＳＦＢＣ）又は時空間ブロック符号とのペアを備える、請求項１３に記載の装置。
【請求項２４】
前記グループ化ＲＥ上での前記ワイヤレスデバイスへの前記データ送信のために使用される送信方式とは異なる送信方式を使用した前記ワイヤレスデバイスへの送信のために前記少なくとも１つの非グループ化ＲＥを使用するための手段をさらに備える、請求項１３に記載の装置。
【請求項２５】
サブフレーム中の複数の利用可能なデータリソース要素（ＲＥ）を識別する手順と、
グループ内のすべての割り当てられたデータＲＥが、時間領域において同じ直交周波数分割多重（ＯＦＤＭ）シンボル内にあり、周波数領域において互いのサブキャリアの所定数内にあり、ＲＥの所定数のグループの各々は、送信ダイバーシティ方式に関連付けられたアンテナポートのグループからのデータ送信に対応し、それによって少なくとも１つの非グループ化ＲＥを生じるように、ＲＥの所定数のグループ中でのワイヤレスデバイスへのデータ送信のために前記複数の利用可能なデータＲＥからのＲＥを割り当てる手順とをコンピュータに実行させるためのプログラム。
【請求項２６】
サブフレーム中の複数の利用可能なデータリソース要素（ＲＥ）を識別することと、
グループ内のすべての割り当てられたデータＲＥが、時間領域において同じ直交周波数分割多重（ＯＦＤＭ）シンボル内にあり、周波数領域において互いのサブキャリアの所定数内にあり、ＲＥの所定数のグループの各々は、送信ダイバーシティ方式に関連付けられたアンテナポートのグループからのデータ送信に対応し、それによって少なくとも１つの非グループ化ＲＥを生じるように、ＲＥの所定数のグループ中でのワイヤレスデバイスへのデータ送信のために前記複数の利用可能なデータＲＥからのＲＥを割り当てることと
を行うように構成されたプロセッサと、
前記プロセッサに結合されたメモリとを備える、ワイヤレス通信のための装置。
【請求項２７】
基準信号の送信に割り当てられたＲＥからのサブフレーム中で前記基準信号を受信することであって、前記サブフレームが複数の残りのデータＲＥを備える、受信することと、
前記複数の残りのデータＲＥのうちの少なくとも１つからデータを受信することであって、前記データは、グループ内のすべての割り当てられたデータＲＥが、時間領域において同じ直交周波数分割多重（ＯＦＤＭ）シンボル内にあり、周波数領域において互いのサブキャリアの所定数内にあり、ＲＥの所定数のグループの各々は、送信ダイバーシティ方式に関連付けられたアンテナポートのグループからのデータ送信に対応し、それによって少なくとも１つの非グループ化ＲＥを生じるように、ＲＥの所定数のグループ中で送信される、受信することとを備える、ワイヤレス通信の方法。
【請求項２８】
前記基準信号がチャネル状態情報基準信号（ＣＳＩ−ＲＳ）を備える、請求項２７に記載の方法。
【請求項２９】
ＲＥの前記第１の所定数の前記グループが、空間周波数ブロック符号（ＳＦＢＣ）又は時空間ブロック符号とのペアを備える、請求項２７に記載の方法。
【請求項３０】
前記送信ダイバーシティがＡｌａｍｏｕｔｉ方式を備える、請求項２７に記載の方法。
【請求項３１】
基準信号の送信に割り当てられたＲＥからのサブフレーム中で前記基準信号を受信するための手段であって、前記サブフレームが複数の残りのデータＲＥを備える、手段と、
前記複数の残りのデータＲＥのうちの少なくとも１つからデータを受信するための手段であって、前記データは、グループ内のすべての割り当てられたデータＲＥが、時間領域において同じ直交周波数分割多重（ＯＦＤＭ）シンボル内にあり、周波数領域において互いのサブキャリアの所定数内にあり、ＲＥの所定数のグループの各々は、送信ダイバーシティ方式に関連付けられたアンテナポートのグループからのデータ送信に対応し、それによって少なくとも１つの非グループ化ＲＥを生じるように、ＲＥの所定数のグループ中で送信される、手段とを備える、ワイヤレス通信装置。
【請求項３２】
前記基準信号がチャネル状態情報基準信号（ＣＳＩ−ＲＳ）を備える、請求項３１に記載の装置。
【請求項３３】
ＲＥの前記所定数の前記グループが、空間周波数ブロック符号（ＳＦＢＣ）又は時空間ブロック符号とのペアを備える、請求項３１に記載の装置。
【請求項３４】
前記送信ダイバーシティがＡｌａｍｏｕｔｉ方式を備える、請求項３１に記載の装置。
【発明の詳細な説明】
【技術分野】
【０００１】
関連出願の相互参照
本出願は、各々の全体が参照により本明細書に組み込まれる、２０１０年２月２３日に出願された「CHANNEL STATE INFORMATION REFERENCE SIGNALS」と題する米国仮特許出願第６１／３０７，４１３号、２０１０年２月２４日に出願された「CHANNEL STATE INFORMATION REFERENCE SIGNALS」と題する米国仮特許出願第６１／３０７，７５８号、２０１０年８月１７日に出願された「CHANNEL STATE INFORMATION REFERENCE SIGNALS」と題する米国仮特許出願第６１／３７４，５５６号、および２０１１年１月３１日に出願された「CHANNEL STATE INFORMATION REFERENCE SIGNALS」と題する米国仮特許出願第６１／４３８，１８３号の優先権の利益を主張する。
【０００２】
以下の説明は、一般にワイヤレス通信に関し、より詳細には、ワイヤレス通信システムにおけるチャネル状態情報基準信号の使用に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。ＭＩＭＯシステムは、複数の送信アンテナと受信アンテナとによって生成された追加の次元数が利用された場合、改善されたパフォーマンス（たとえば、より高いスループットおよび／またはより大きい信頼性）を与えることができる。
【０００６】
さらに、基地局またはモバイル端末は、ワイヤレスシステムのパフォーマンスを維持または改善するために基準信号を送信することができる。基準信号は、一般に、受信機にアプリオリに知られる信号である。受信デバイスは、基準信号を受信し得、受信した基準信号に基づいて、いくつかの動作パラメータを改変するか、またはワイヤレス通信のいくつかの動作パラメータを改変するためのフィードバックを生成し得る。基準信号はこのように有用であり得るが、基準信号の送信は、データ信号または制御信号など、他の有用な信号から帯域幅を奪い取ることがある。ワイヤレスデータ帯域幅に対する需要の高まりとともに、既存の基準信号の効率的な使用に対する需要が大きくなっている。さらに、新しい基準信号に送信リソースを割り当てることは、場合によっては、既存の基準信号またはデータ信号にとって利用可能な送信リソースを低減し得る。さらに、新しい基準信号は、レガシーユーザ機器がデータ送信を期待している可能性がある送信リソースを使用して送信され得る。
【発明の概要】
【０００７】
本開示で提供されるシステムおよび方法は、上記で説明した必要などを満たす。手短に一般的に言えば、開示する設計は、一態様では、ワイヤレス通信ネットワークにおけるチャネル状態情報基準信号（ＣＳＩ−ＲＳ：channel state information reference signal）とミュートされたリソース要素との使用のための方法および装置を提供する。
【０００８】
以下で、そのような技法および実施形態の基本的理解を与えるために１つまたは複数の実施形態の概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形で提示することである。
【０００９】
一態様では、ワイヤレス通信のための方法は、サブフレーム中の複数の利用可能なデータリソース要素（ＲＥ：resource element）を識別することと、グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの所定数のグループ中でのワイヤレスデバイスへのデータ送信のために上記複数の利用可能なデータＲＥからのＲＥを割り当てることとを備える。
【００１０】
別の態様では、ワイヤレス通信のための装置は、サブフレーム中の複数の利用可能なデータリソース要素（ＲＥ）を識別するための手段と、グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの第１の所定数のグループ中でのワイヤレスデバイスへのデータ送信のために、上記複数の利用可能なデータＲＥからのＲＥを割り当てるための手段とを備える。
【００１１】
さらに別の態様では、コンピュータ実行可能命令を記憶した不揮発性コンピュータ可読媒体を備えるコンピュータプログラム製品が開示される。この命令は、サブフレーム中の複数の利用可能なデータリソース要素（ＲＥ）を識別することと、グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの第１の所定数のグループ中でのワイヤレスデバイスへのデータ送信のために上記複数の利用可能なデータＲＥからのＲＥを割り当てることとを行うためのコードを備える。
【００１２】
さらに別の態様では、ワイヤレス通信プロセッサが開示される。このワイヤレスプロセッサは、サブフレーム中の複数の利用可能なデータリソース要素（ＲＥ）を識別することと、グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの第１の所定数のグループ中でのワイヤレスデバイスへのデータ送信のために上記複数の利用可能なデータＲＥからのＲＥを割り当てることとを行うように構成される。
【００１３】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用され得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００１４】
本開示の特徴、性質、および利点は、全体を通じて同様の参照符号が同様のものを指す図面とともに、以下に記載する詳細な説明を読めばより明らかになろう。
【図面の簡単な説明】
【００１５】
【図１】一実施形態による多元接続ワイヤレス通信システムを示す図。
【図２】通信システムのブロック図。
【図３】ワイヤレス通信システムにおいて使用されるリソースブロックのブロック図表現。
【図４Ａ】ワイヤレス通信システムにおいて使用される２つの隣接するリソースブロックのブロック図表現。
【図４Ｂ】ワイヤレス通信システムにおいて使用されるリソースブロックのブロック図表現。
【図４Ｃ】ワイヤレス通信システムにおいて使用されるリソースブロックのブロック図表現。
【図５】２つのチャネル状態情報基準信号（ＣＳＩ−ＲＳ）ポートを備えるワイヤレス通信システムにおいて使用されるリソースパターンのブロック図表現。
【図６】４つのチャネル状態情報基準信号（ＣＳＩ−ＲＳ）ポートを備えるワイヤレス通信システムにおいて使用されるリソースブロックのブロック図表現。
【図７】８つのチャネル状態情報基準信号（ＣＳＩ−ＲＳ）ポートを備えるワイヤレス通信システムにおいて使用されるリソースブロックのブロック図表現。
【図８】ワイヤレス通信システムにおいて使用されるリソースブロックのブロック図表現。
【図９】ワイヤレス通信システムにおいて使用されるリソースブロックのブロック図表現。
【図１０】ワイヤレス通信システムにおいて使用されるリソースブロックのブロック図表現。
【図１１】ワイヤレス通信システムにおいて使用されるリソースブロックのブロック図表現。
【図１２】ワイヤレス通信システムにおいて使用されるリソースブロックのブロック図表現。
【図１３】空間周波数ブロック符号（ＳＦＢＣ）ペアにリソース要素ペアを割り振るための方式のブロック図表現。
【図１４】空間周波数ブロック符号（ＳＦＢＣ）ペアにリソース要素ペアを割り振るための方式のブロック図表現。
【図１５】ワイヤレス通信システムにおけるリソースパターン割振りのブロック図表現。
【図１６】ワイヤレス通信システムにおけるリソースパターン割振りのブロック図表現。
【図１７】ワイヤレス通信システムにおけるリソースパターン割振りのブロック図表現。
【図１８】ワイヤレス通信システムにおけるリソースパターン割振りのブロック図表現。
【図１９】ワイヤレス通信システムにおけるリソースパターン割振りのブロック図表現。
【図２０】ワイヤレス通信システムにおけるリソースパターン割振りのブロック図表現。
【図２１】ワイヤレス通信のためのプロセスのフローチャート表現。
【図２２】ワイヤレス通信装置の一部分のブロック図表現。
【図２３】ワイヤレス通信のためのプロセスのフローチャート表現。
【図２４】ワイヤレス通信装置の一部分のブロック図表現。
【図２５】ワイヤレス通信のためのプロセスのフローチャート表現。
【図２６】ワイヤレス通信装置の一部分のブロック図表現。
【図２７】ワイヤレス通信のためのプロセスのフローチャート表現。
【図２８】ワイヤレス通信装置の一部分のブロック図表現。
【図２９】ワイヤレス通信のためのプロセスのフローチャート表現。
【図３０】ワイヤレス通信装置の一部分のブロック図表現。
【図３１】ワイヤレス通信のためのプロセスのフローチャート表現。
【図３２】ワイヤレス通信装置の一部分のブロック図表現。
【図３３】ワイヤレス通信のためのプロセスのフローチャート表現。
【図３４】ワイヤレス通信装置の一部分のブロック図表現。
【図３５】ワイヤレス通信のためのプロセスのフローチャート表現。
【図３６】ワイヤレス通信装置の一部分のブロック図表現。
【図３７】ワイヤレス通信のためのプロセスのフローチャート表現。
【図３８】ワイヤレス通信装置の一部分のブロック図表現。
【図３９】ワイヤレス通信のためのプロセスのフローチャート表現。
【図４０】ワイヤレス通信装置の一部分のブロック図表現。
【図４１】ワイヤレス通信のためのプロセスのフローチャート表現。
【図４２】ワイヤレス通信装置の一部分のブロック図表現。
【図４３】ワイヤレス通信のためのプロセスのフローチャート表現。
【図４４】ワイヤレス通信装置の一部分のブロック図表現。
【図４５】ワイヤレス通信のためのプロセスのフローチャート表現。
【図４６】ワイヤレス通信装置の一部分のブロック図表現。
【発明を実施するための形態】
【００１６】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明白であろう。他の例では、これらの態様の説明を円滑にするために、よく知られている構造およびデバイスをブロック図の形態で示す。
【００１７】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を使用する。
【００１８】
シングルキャリア周波数分割多元接続（ＳＣ−ＦＤＭＡ）は、シングルキャリア変調および周波数領域等化を利用する。ＳＣ−ＦＤＭＡ信号は、それの固有のシングルキャリア構造のために、より低いピーク対平均電力比（ＰＡＰＲ：peak-to-average power ratio）を有し、それは送信電力効率に関してモバイル端末に大きい利益を与え得る。それは、現在、３ＧＰＰ  Ｌｏｎｇ  Ｔｅｒｍ  Ｅｖｏｌｕｔｉｏｎ（ＬＴＥ）におけるアップリンク多元接続方式のために使用されている。
【００１９】
明快のために、以下の主題については、ＬＴＥにおいて使用されるいくつかの信号およびメッセージフォーマットの具体的な例に関して、ならびにチャネル状態情報基準信号（ＣＳＩ−ＲＳ）およびミュート技術に関して説明することに留意されたい。ただし、他の通信システムおよび他の基準信号送信／受信技術への開示した本技法の適用性を、当業者は諒解されよう。
【００２０】
さらに、図３〜図１３には、リソースブロックマップ技法を使用して、アンテナポートと送信リソース割当てとの様々な組合せが示されており、そこには、水平方向に沿ったシンボル（または時間）と垂直方向に沿った周波数（またはサブキャリアインデックス）とを用いて送信リソースブロック（ＲＢ：resource block）中の利用可能なリソースの２次元プロットが示されている。さらに、明快のために、図示された各ＲＢ中のリソース要素（ＲＥ）は、単にアンテナの論理グルーピングを表す対応するアンテナポートグループ／アンテナインデックスで標示されている。ただし、アルファベットシーケンスおよび数を使用した列挙は、説明を明快にするためのものにすぎず、デバイス上の実際のアンテナ構成との関係を持っていても持っていなくてもよいことを理解されたい。
【００２１】
ＣＳＩ−ＲＳは、ＵＥがＤＬチャネルを推定し、チャネルに関するフィードバックをｅＮＢに送ることを可能にするためにｅＮＢによって送信される信号である。ＣＳＩ−ＲＳは、サポートしているＳＵ−ＭＩＭＯ、ＭＵ−ＭＩＭＯおよびＣｏＭＰに対するフィードバックのために使用されるようにＬＴＥ−Ａに導入されることが計画されている。ＬＴＥリリース８ＵＥ（レガシーＵＥ）はＣＳＩ−ＲＳに気づかないので、それらのレガシーＵＥはＣＳＩ−ＲＳが存在しないかのようにふるまい続け、そのためＣＳＩ−ＲＳを導入することが難しくなっている。ＣＳＩ−ＲＳは、ＰＤＳＣＨ領域中に含められることが計画されている。ＣＳＩ−ＲＳが配置され得る場所に関しては、いくつかのさらなる制限がある。
【００２２】
いくつかの設計では、ＣＳＩ−ＲＳに割り振られる送信リソースは、共通基準信号（ＣＲＳ：Common Reference signal）など、他の基準信号に割り振られたＲＥを回避し得る。さらに、いくつかの設計では、ＣＲＳ  ＲＥが割り振られたシンボル全体がＣＳＩ−ＲＳのために回避され得る。ＣＳＩ−ＲＳによるＣＲＳシンボルのそのような回避は、ＣＲＳ送信からＣＳＩ−ＲＳ送信への干渉を最小限に抑えるために役立ち得る。たとえば、あるセルのＣＲＳおよびＣＳＩ−ＲＳが同じシンボル上にある場合、ＣＲＳ電力ブースティングがＣＳＩ−ＲＳ電力を低減し、近隣セルのＣＲＳが同期ネットワーク中でＣＳＩ−ＲＳと衝突し得、それにより所与のセル中でのＣＳＩ−ＲＳからのチャネル推定が信頼できなくなり得る。いくつかの設計では、近隣セルは４送信アンテナ（４Ｔｘ）を使用していることがあるので、２送信アンテナ（２Ｔｘ）ＣＳＩ−ＲＳ割当ても、すべての４Ｔｘ  ＲＥのためのＣＲＳシンボルを回避し得る。
【００２３】
さらに、いくつかの設計では、リソースブロック（ＲＢ）中の最初の３つのシンボルは制御信号（「制御シンボル」）の送信のために使用され得るので、ＣＳＩ−ＲＳは、それらの最初の３つのＯＦＤＭシンボルを回避し得る。リレーノードはＣＳＩ−ＲＳの送信と受信の両方を必要とし得るので、制御シンボルを回避することはリレー動作においても有用であり得る。リレーがそれのバックホールＤＬサブフレームをＭＢＳＦＮとしてＵＥ１２０に広告するリレー設計では、リレーは最初のいくつか（１〜３）のＯＦＤＭシンボルをリッスンすることができないことがある。
【００２４】
いくつかの送信モードでは、ＵＥ１２０がデータ復調のためにチャネルを推定するのを助けるために、復調基準信号（ＤＭ−ＲＳ：Demodulation reference signal）とも呼ばれるＵＥ固有基準信号（ＵＥ−ＲＳ：UE-specific reference signal）がｅＮＢ１１０によってＵＥ１２０に送信され得る。いくつかの設計では、ＣＳＩ−ＲＳパターンは、ＵＥ−ＲＳベースの送信がスケジュールされるか否かに依存しないことがある。したがって、いくつかの設計では、ＣＳＩ−ＲＳに割り振られるＲＥは、ＵＥ−ＲＳを回避するように選択され得る。本明細書で使用する、ＣＳＩ−ＲＳ送信にＲＥを割り振ることまたは割り当てることは、いくつかのＲＥを、基準信号送信のために利用可能であるものとして指定することを暗示する。以下でさらに説明するように、指定されたＲＥは、ミュートなどの他の考慮事項に応じて、実際の基準信号送信のために使用されても使用されなくてもよい。いくつかの設計では、ＣＲＳおよびＵＥ−ＲＳなどの他の信号に割り振られたＲＥとの重複を回避することによって、ＣＳＩ−ＲＳに送信リソースが割り当てられる。その結果、いくつかの設計では、したがって、他の制御信号または基準信号に割り振られたＲＥを含んでいないサブフレーム上で（たとえば、ノーマルＣＰをもつ通常のサブフレーム上で）、合計６０個のＲＥポートが利用可能になり得る。いくつかの設計では、さらに、ＣＳＩ−ＲＳは同期信号ならびにＰＢＣＨおよびＳＩＢとの衝突を回避し得る。いくつかの設計では、後でより詳細に説明するように、ＣＳＩ−ＲＳ  ＲＥ割振りも、レガシーＵＥ１２０のページングチャネルとの重複を回避し得る。
【００２５】
図３は、ワイヤレス通信システムにおいて使用されるリソースブロック３００のブロック図表現である。水平軸３０２は時間（またはシンボルインデックス）を表し、垂直軸３０４は周波数を表す。各方形タイルはリソース要素（ＲＥ）を表し、ＲＥは時間周波数送信リソースの量を表す。「Ｃ」で示されたＲＥ（たとえば、ＲＥ３０６）は、ＣＲＳ送信に割り振られたＲＥを表し得る。「Ｕ」で示されたＲＥ（たとえば、ＲＥ３０８）は、ＵＥ−ＲＳ送信に割り振られたＲＥを表し得る。１から６０に番号付けされたＲＥ（たとえば、ＲＥ３１０）は、ＣＳＩ−ＲＳ送信のために利用可能なＲＥに対応し得る。所与のセルにおいて、ｅＮＢ１１０は、すべての可能なＲＥの中からサブセットを選択し、その選択されたサブセット中のＲＥをセル中のＣＳＩ−ＲＳの送信に割り振り得る。以下でさらに説明するように、残りのＲＥはデータ送信のために使用され得る。
【００２６】
いくつかの設計では、ＣＳＩ−ＲＳ送信は、いくつかのＵＥ１２０のための共通パイロットとして使用され得る。ワイヤレスチャネルによって占有される帯域幅全体についてのフィードバックが望ましいことがあるので、ＣＳＩ−ＲＳは、一般に、ＣＳＩ−ＲＳが存在するサブフレーム上で広い帯域幅にわたって送信され得る。複数アンテナシステムでは、すべての送信アンテナの独立チャネル推定を可能にするためにＣＳＩ−ＲＳが送信され得る。様々な設計において、異なるアンテナポートのＣＳＩ−ＲＳ送信が時間領域、周波数領域および／または符号領域において多重化され得る。たとえば、複合時間／周波数領域多重化設計では、異なるアンテナポートからのＣＳＩ−ＲＳ送信に割り振られるＲＥが、異なるＲＥパターンを備え得る。しかしながら、いくつかの設計では、ＵＥ１２０の観点から、使用されるサブフレーム中にＣＳＩ−ＲＳ送信を受信することによってすべてのアンテナポートのチャネル推定が実行され得るように、セルの（すべてのアンテナについての）すべてのＣＳＩ−ＲＳ送信に、同じサブフレーム上の送信リソースが割り振られ得る。同じサブフレームからのそのような選択的ＣＳＩ−ＲＳ処理は、電力管理に役立ち得る（たとえば、ＵＥ１２０は、ＣＳＩ−ＲＳ送信の複数のサブフレームを受信するためにオンのままでなくてもよい）。
【００２７】
協働マルチポイント（ＣｏＭＰ：cooperative multipoint）または異種ネットワーク（ＨｅｔＮｅｔ：heterogeneous network）など、いくつかのワイヤレスシステムでは、ｅＮＢ１１０は、ＵＥ１２０が近隣セルのチャネルを測定することを望み得る。そのような設計では、いくつかのセルのＣＳＩ−ＲＳ送信が直交化され得る（たとえば、ＲＥの異なるセットを使用し得る）。たとえば、いくつかの設計では、ｅＮＢ１１０は、近隣セル中のＣＳＩ−ＲＳ送信に割り振られたＲＥを「ブランク」アウトし得る（たとえば、送信なしまたはミュート）。異なる近隣セルの割り振られたＲＥパターンは、ｅＮＢ１１０によって互いに調整され得る。
【００２８】
いくつかの設計では、特定の送信アンテナポートに割り振られるＣＳＩ−ＲＳ  ＲＥは、送信アンテナポートに割り当てられたＲＥによってチャネルの帯域幅全体が一様にサンプリングされるように選択され得る。チャネル特性の時間変動により、特定のアンテナポートのすべてのＣＳＩ−ＲＳ  ＲＥが互いに近接していることまたは同じＯＦＤＭシンボル上にあることが望ましいことがある。たとえば、いくつかの設計では、図３中の１、７、１９、２３、２５、３１、５５および５９で示されたＲＥが、８つの異なるアンテナポートのために使用され、それにより、周波数帯域中に一様に離間したＲＢごとに繰り返すパターンが得られ得る。
【００２９】
いくつかの設計では、十分な電力利用を可能にするために、ＣＳＩ−ＲＳが送信されるＯＦＤＭシンボル上のアンテナへのＣＳＩ−ＲＳの送信のために送信リソースが割り振られ得る。たとえば、ＣＳＩ−ＲＳは一般に所与の時間において単一のアンテナポートからのみ送信され得るので、他のアンテナポートに割り振られた電力は使用不可能であり得る。しかしながら、１つのＯＦＤＭシンボル上に複数のＣＳＩ−ＲＳアンテナポートＲＥが割り振られている場合、アクティブアンテナポートのＣＳＩ−ＲＳ（すなわち、信号を実際に送信しているアンテナポート）は、実際の信号送信のために使用されないそのアンテナポートに割り振られた電力をも使用することができる。
【００３０】
（Ｒｅｌ１０ネットワーク中のＲｅｌ８ＵＥ１２０などの）レガシーＵＥ１２０は、ＣＳＩ−ＲＳ送信に気づいていないことがあり得、ＣＳＩ−ＲＳに割り振られたＲＥ中でデータが送信されていると仮定し得る。いくつかの設計では、レガシーＵＥ１２０は、データ送信が、２つのＣＲＳポートが構成されたときは空間周波数ブロックコーディング（ＳＦＢＣ：space frequency block coding）を使用し、４つのＣＲＳアンテナポートが構成されたときはＳＦＢＣ−ＦＳＴＤを使用すると仮定し得る。いくつかの設計では、ＳＦＢＣ方式およびＳＦＢＣ周波数シフト時間ダイバーシティ（ＦＳＴＤ：frequency shift time diversity）方式は、Ａｌａｍｏｕｔｉ方式を使用して（介在するＣＲＳ  ＲＥをスキップして）周波数の連続する２つのデータＲＥ上で２つのデータシンボルを送信することを備え得る。これらの方式を使用してスケジュールされたＵＥ１２０上でパンクチャするＣＳＩ−ＲＳの影響を最小限に抑えるために、このパンクチャリングに影響を受けるＡｌａｍｏｕｔｉ方式に関与するＲＥのペアの数は最小にされ得る。以下でさらに説明するように、２つの異なるＲＥペア中の２つのＲＥをパンクチャする代わりに、１つのペア中の両方のＲＥが代わりにパンクチャされ得る。
【００３１】
いくつかの設計では、ＳＦＢＣ−ＦＳＴＤは、４つのデータＲＥの所与のグループ中の、第１の２つのデータＲＥ上のアンテナポート０、２と、次の２つのデータＲＥ上のアンテナポート１、３とを使用してＳＦＢＣを使用し得る。「データＲＥ」という用語は、概して、データ送信のために利用可能であるとレガシーＵＥ１２０によって理解されるリソース要素を指す。しかしながら、基準信号送信リソースおよびミュートの割当てに応じて、データＲＥは、いくつかの事例では、他の信号の送信のために使用され得、または送信のためにまったく使用されないことがある。いくつかの設計では、ＳＦＢＣにおいて採用される２つのＲＥは、これらの２つのＲＥ上のチャネル推定値がほぼ同じとなるように、互いに近接するように選択され得る。いくつかの設計では、そのような方式を使用してスケジュールされたＲｅｌ１０ＵＥ１２０は、（中間のＣＳＩ−ＲＳ  ＲＥおよびＣＲＳ  ＲＥをスキップして）周波数中で連続するデータＲＥを採用し得る。マッピングは、ＳＦＢＣ−ＦＳＴＤでは周波数中の４つのＲＥ（ＳＦＢＣでは周波数中の２つのＲＥ）のグループ中で行われ得る。利用可能なデータＲＥの数が４の倍数でない、たとえば、４ｎ＋２である場合、ＦＳＴＤがｎ回採用され得、残りの２つのＲＥについて、２つのアンテナポートを使用したＳＦＢＣが使用され得る。これは電力アンバランスをもたらし得る。この様式を使用してスケジュールされるとき、ＲＢの各シンボル上の利用可能なデータＲＥの数が４−ＣＲＳでは４の倍数（２−ＣＲＳでは２の倍数）になり得るようにＣＳＩ−ＲＳを導入することが望ましいことがある。
【００３２】
（ＲＢ当たりまたは代替的にデータ割振り当たりの）利用可能なデータＲＥの数が、２つの近隣シンボル上のＳＦＢＣ−ＦＳＴＤのための形式４ｎ＋２（またはＳＦＢＣのための形式２ｎ＋１）であるとき（ｎは整数）、ＳＦＢＣ／ＳＦＢＣ−ＦＳＴＤは、Ａｌａｍｏｕｔｉ方式が時間において適用されるＳＴＢＣと組み合わせて使用され得る。これにより、電力のバランスを保ちながらすべての利用可能なＲＥの使用が可能になる。
【００３３】
図４Ａは、いくつかの設計ではＣＳＩ−ＲＳに割り当てられたＲＥを示す、２つの隣接するリソースブロックのブロック図表現４００である。割り振られたＲＥは、アンテナポートのグループを表すアルファベット（ａ、ｂ、ｃ、ｄ、またはｆ）と、アンテナポートインデックスを表す数（１〜８）との２文字の組合せを使用して標示される。８つの送信アンテナポート（８Ｔｘ）をもつｅＮＢ１１０は、グループ「ａ」〜「ｆ」のうちの１つを選択し、残りのＣＳＩ−ＲＳ  ＲＥをデータ送信のために使用し得る。図４Ｂに示すＲＥ割当てパターンは、それぞれ８Ｔｘアンテナをもつ６つの異なるｅＮＢ１１０の直交多重化を可能にする（各ｅＮＢ１１０は６つのグループ「ａ」〜「ｆ」のうちの１つを使用する）。この設計は、ＣＳＩ−ＲＳのために１ＲＥ／ＲＢのリソース密度が使用されることを仮定している。
【００３４】
ユーザ機器基準信号、またはＵＥ−ＲＳを含んでいるＯＦＤＭシンボル（たとえば、シンボル４５０、４５２）上では、（８つではなく）６つのＲＥがＣＳＩ−ＲＳ送信のために利用可能であり得ることに留意されたい。いくつかの設計では、８つのＣＳＩ−ＲＳアンテナポートに適応するために、アンテナポート１〜４は、ＵＥ−ＲＳを含んでいるＯＦＤＭシンボルペア（たとえば、４５０、４５２）の第１のＯＦＤＭシンボル（たとえば、シンボル４５０）上に配置され得、アンテナポート５〜８には、次の隣接するＯＦＤＭシンボル（たとえば、シンボル４５２）上のＲＥが割り振られ得る。十分な電力ブースティングを可能にするために、シンボル４５０、４５２のためのアンテナポートマッピングは、すべてのポートが近隣ＲＢ中の同じシンボルロケーション内でカバーされるように、次のＲＢ上で変更され得る。近隣シンボルは、いくつかの設計では、隣接するシンボル間のチャネル特性の時間変動が比較的小さくなり得ることを有利に使用するために、同じアンテナグループへのＣＳＩ−ＲＳリソースの割振りのために選択され得る。
【００３５】
いくつかの設計では、４Ｔｘ  ｅＮＢ１１０は、１つのアンテナグループ「ａ」〜「ｆ」のＣＳＩ−ＲＳポート｛１，２，３，４｝または｛５，６，７，８｝を選択し得る。いくつかの設計では、２Ｔｘ  ｅＮＢ１１０は、ＣＳＩ−ＲＳ送信のために、１つのグループ中のＲＥペア｛１，２｝、｛３，４｝、｛５，６｝、｛７，８｝を選択し得る。したがって、アンテナポート割当ては、ＣＳＩ−ＲＳアンテナポートの数がより少ない場合でも、特定のｅＮＢ１１０のＣＳＩ−ＲＳ  ＲＥを含んでいるすべてのＯＦＤＭシンボルがすべてのアンテナポートに対応するＣＳＩ−ＲＳ  ＲＥを有するように選択され得る。一態様では、アンテナポートへのＲＥのそのような割当てにより、異なるアンテナ構造をもつｅＮＢ１１０を直交多重化することがより容易になり得る。
【００３６】
次に図４Ｃを参照すると、リソースブロック４８０は、４Ｔｘ  ｅＮＢ１１０のために４つのＣＳＩ−ＲＳポートにリソースパターンを割り当てる別の方法が示されている。いくつかの設計では、図４Ｃの図示されたパターンは、ＣＳＩ−ＲＳが割り当てられたＲＢごとに繰り返され得る。図４Ｂに示す８Ｔｘ割当てを４Ｔｘのための２つのグループに分割することによって、４Ｔｘ割当ては８Ｔｘ割当ての内に適合されていることがわかるであろう。４Ｔｘ割当ては、さらに２Ｔｘ  ｅＮＢ１１０のためのＲＥ割当てに分割され得る。
【００３７】
図４Ｃの図示されたＲＥ割当てでは、ＣＳＩ−ＲＳ  ＲＥは、それらがレガシーＵＥ１２０のためにＳＦＢＣペア中の両方のデータＲＥをパンクチャするように選択されていることを諒解されよう。たとえば、ＣＳＩ−ＲＳ割当てパターンが、ＤＭ−ＲＳシンボル４８２、４８４上で１つのＲＥロケーションだけ垂直方向に下にシフトされた場合、異なるＳＦＢＣペア中の２つのＲＥがパンクチャされるであろう。
【００３８】
一般に、ＣＳＩ−ＲＳポートの数はＣＲＳポートの数以上である。ＣＲＳの数が４であるとき、ＣＳＩ−ＲＳポート割当ては４つまたは８つのアンテナポートのためであり得、任意のシンボル上のＣＳＩ−ＲＳによって使用されるＲＥの数は０、４、または８であり得ることも諒解されよう。一態様では、そのような割当ては、利用可能なデータＲＥから４つのＲＥの倍数がＣＳＩ−ＲＳに再割り振りされ、したがって、どのＲＥもグループ化されないまま（すなわち、オーファンＲＥのまま）残らないことを保証し得る。同様に、ＣＲＳの数が２であるとき、ＣＳＩ−ＲＳアンテナポートの数は（２，４，８）であり得る。そのような場合、任意のシンボル上のＣＳＩ−ＲＳ  ＲＥは０、２、４、または８のいずれかであり得、ＳＦＢＣが使用された場合にオーファンＲＥが残らないことを保証し得る。アンテナポート３および４のロケーションがアンテナポート５、６のロケーションとスワップされるいくつかの設計では、オーファンＲＥが残らないという性質は満たされないことがある。非オーファンデータＲＥのこの性質を維持するために、ＣＳＩ−ＲＳのために使用された可能性があるいくつかのＲＥは、ＣＳＩ−ＲＳのために未使用のまま残され得ることに留意されたい。
【００３９】
図４Ｃを参照すると、ＣＳＩ−ＲＳ送信へのＲＥの別の例示的な割当てを示す、リソースブロック４８０のブロック図表現が示されている。一態様では、ＲＥペア４８２および４８４が、ＲＢ４８０中ではＣＳＩ−ＲＳに割り当てられ、図４Ｂに示すＲＢ４５０中では割り当てられない（すなわち、データ送信のために利用可能な）まま残されたという点で、ＲＢ４８０中のＲＥ割当てはＲＢ４５０中のＲＥ割当てとは異なる。これらのＲＥ４８２、４８４がＣＳＩ−ＲＳのために使用されたときの問題と、ＳＴＢＣを使用することによってこの問題がどのように克服され得るかとについて、以下でさらに説明する。
【００４０】
いくつかの設計では、２つのＲＥが４−ＣＲＳのために利用可能であるとき、十分な電力を利用するために、ＳＦＢＣ−ＦＳＴＤの代わりに、ＵＥ１２０が気づいている２つのビーム上でＳＦＢＣを使用することが有利に使用され得る。いくつかの設計では、４つ未満のＲＥが４−ＣＲＳのために利用可能であるか、または１つのＲＥが２つのＣＲＳのために利用可能であるとき、ＵＥ１２０がＣＲＳを使用して推定することができるビームに沿った１つの変調シンボルが送信され得る。いくつかの設計では、追加のＲＥ４８２、４８４は単にスキップされ得る。いくつかの設計では、ＳＦＢＣグループ化を破壊するＲＥが可能にされ得ることに留意されたい。ＣＳＩ−ＲＳのためにＲＥを使用すべきか、または代わりにＳＦＢＣを保護すべきかが、（たとえば、ｅＮＢ１１０による）ネットワークのセットアップ中にネットワークレベルで決定され得る。
【００４１】
いくつかの設計では、他のセルのチャネル品質を調査するために、ＵＥ１２０にある最小情報に基づいて、近隣セルのＣＳＩ−ＲＳをどこで探すべきかに関する情報がＵＥ１２０に与えられ得る。これを可能にするために、ＣＳＩ−ＲＳアンテナパターンは、サブフレームインデックス、無線フレームインデックス、単一周波数ネットワーク（ＳＦＮ：single frequency network）数およびセルＩＤのうちの１つまたは複数に応じて変わり得る。この情報に基づいて、ＵＥ１２０は、近隣ｅＮＢ１１０からのＣＳＩ−ＲＳ送信の位置を特定することが可能になり得る。
【００４２】
いくつかの設計では、上記で説明したように、ＲＢ上でＣＳＩ−ＲＳアンテナパターンを変更することにより、一態様では、アンテナからＣＳＩ−ＲＳ信号を送信するときに十分な電力利用が可能になり得る。
【００４３】
いくつかの設計では、ＣＳＩ−ＲＳのアンテナポートグループ化は、所与のポートサイズのグループ（たとえば、８、４、２または１）が（たとえば、時間周波数分離により）互いに直交になり得るように、互いに直交になるように構成され得る。さらに、アンテナの数がより少ないグループは、アンテナの数がより大きいグループのサブグループを形成し得る。たとえば、８アンテナポートグループのためのＣＳＩ−ＲＳリソース割振りパターンは、４アンテナグループ（４Ｔｘ）のための２つのＣＳＩ−ＲＳパターンを備え得、それは、今度は、２ＴｘポートＣＳＩ−ＲＳのための２つのＣＳＩ−ＲＳ割振りを備え得る。したがって、いくつかの設計では、ＲＥは、基準信号の送信のために使用される送信アンテナの数（たとえば、８、４または２）の関数としてＣＳＩ−ＲＳの送信のために割り振られ、その関数は、送信アンテナの第１の数（たとえば、８または４）が送信アンテナの第２の数（たとえば、４または２）よりも大きいとき、第１の数に対応する第１のリソースパターンが第２の数に対応する第２のリソースパターンのスーパーセットであるように、送信アンテナの数に関してネスティングされる。
【００４４】
いくつかの設計では、ＣＳＩ−ＲＳ  ＲＥは、影響を受けるＳＦＢＣ  ＲＥペアの数が最小化され得るように（その数は、ＳＦＢＣ−ＦＳＴＤの場合でさえ２つのＲＥのセットになり得ることに留意されたい）、ＲＥロケーションにあるように選択され得る。いくつかの設計では、この「最小化」は、ＣＳＩ−ＲＳ  ＲＥが割り振られたシンボル中の単一の非グループ化ＲＥを生じ得る。いくつかの設計では、この最小化は０個の非グループ化ＲＥを生じ得る（すなわち、すべてのデータＲＥがＣＳＩ−ＲＳ送信に割り振られる）。
【００４５】
いくつかの設計では、利用可能なＲＥの数が、近隣ＯＦＤＭシンボル上のＳＦＢＣのための形式２ｎ＋１およびＳＦＢＣ−ＦＳＴＤのための形式４ｎ＋２であるとき、データ送信のために使用されるコーディング方法はＳＦＢＣ／ＳＦＢＣ−ＦＳＴＤからＳＴＢＣに切り替わり得る。データ符号化方法のこの切替えは、一態様では、オーファンＲＥの数を最小化するのを助け得る。様々な設計では、利用可能なＲＥは、ＲＢごとに、またはデータ全体の割振りについて計算され得る。
【００４６】
以下でさらに説明するように、異なるサブフレーム上のチャネル帯域幅の異なる連続（または不連続）部分をカバーし、それによって、すべてのサブフレームにわたって集合的に見たときに帯域幅全体をカバーし得るように、ＲＥがＣＳＩ−ＲＳ送信に割り振られ得る。帯域幅およびＣＳＩ−ＲＳ  ＲＥ割振りパターンは、ｅＮＢ１１０が、物理ブロードキャストチャネル（ＰＢＣＨ：physical broadcast channel）、２次同期信号（ＳＳＳ：secondary synchronization signal）などの信号と、ページングおよびシステム情報ブロック（ＳＩＢ：system information block）などの規定信号送信とをパンクチャすることを回避し得るように選択され得る。いくつかの設計では、レガシーＵＥ１２０に向けられた、ページングおよびＳＩＢなどのそのような信号の規定送信は、ＣＳＩ−ＲＳを含んでいていないＲＢ上で実行され得、レガシーＵＥ１２０によって期待されるように見え得るが、これらの信号は、ｅＮＢ１１０によって選択された他のＲＢ中で、ＣＳＩ−ＲＳに気づいているＵＥ１２０に向けられて送信され得る。
【００４７】
いくつかの設計では、ＣＳＩ−ＲＳアンテナポート空間は、異なる電力クラスのｅＮＢ１１０の間で区分され得る（より一般的には、一方が他方に対して支配的干渉物である２つのｅＮＢは、異なる区分を得る）。たとえば、いくつかの設計では、マクロセル用のｅＮＢ１１０はＣＳＩ−ＲＳ  ＲＥの１セットを得、ピコセルは別のセットを得、フェムトセルはＣＳＩ−ＲＳ  ＲＥの複数のセットを得ることができよう。概して、支配的干渉物は、より弱いｅＮＢのＣＳＩ−ＲＳ空間をミュートするように構成され得る。電力クラスに基づく割当ては、静的、半静的（たとえば、上位レイヤメッセージを使用する）、または動的であり得る。一方のセルが他方のセルのＣＳＩ−ＲＳをミュートし得る協働セルは、ミュートとＣＳＩ−ＲＳ送信とが同じＯＦＤＭシンボル上で起こり、それによりＣＳＩ−ＲＳ電力ブースティングが可能になるように、それらのセルが使用すべきＣＳＩ−ＲＳパターンを選択し得る。
【００４８】
いくつかの設計では、ＣＳＩ−ＲＳシンボル（すなわち、ＲＥがＣＳＩ−ＲＳ送信に割り振られたシンボル）上で符号分割多重（ＣＤＭ：code division multiplexing）が使用され得る。一態様では、ＣＤＭの使用により、前に説明した電力利用の問題に対処し得る。たとえば、２つの近隣ＯＦＤＭシンボル上の異なるＲＥ上のアンテナポート１、５を送る代わりに、それらは、２つの直交シーケンスを使用して２つのＲＥ上で符号分割多重化（ＣＤＭ）され得る。いくつかの設計では、より高いランク（たとえば、ランク８）のＤＭ−ＲＳパターンにはＣＤＭが使用され得、より低いランク（たとえば、ランク４および２）のＤＭ−ＲＳパターンにはＦＤＭが使用され得る。
【００４９】
次に図６〜図１３を参照すると、ＬＴＥ  Ｒｅｌ１０において使用される、ＣＳＩ−ＲＳ信号へのＲＥ割当てのいくつかの例が示されている。図６〜図１３において、「Ｃ」で示されたＲＥは、ＣＲＳに割り当てられたＲＥを表し、「Ｕ」で示されたＲＥは、ＵＥ−ＲＳに割り当てられたＲＥを表し得る。
【００５０】
図６は、フレーム構造（ＦＳ：frame structure）ＦＳ１とＦＳ２の両方のための、ノーマルサイクリックプレフィックス（ＣＰ：cyclic prefix）サブフレーム中の２つのＣＳＩ−ＲＳポートの場合のＣＳＩ−ＲＳへのＲＥパターン割当てを示す、ＲＢ６００のブロック図表現である。
【００５１】
図７は、フレーム構造（ＦＳ）ＦＳ１とＦＳ２の両方のための、ノーマルサイクリックプレフィックス（ＣＰ）サブフレーム中の４つのＣＳＩ−ＲＳポートの場合のＣＳＩ−ＲＳへのＲＥパターン割当てを示す、ＲＢ７００のブロック図表現である。
【００５２】
図８は、フレーム構造（ＦＳ）ＦＳ１とＦＳ２の両方のための、ノーマルサイクリックプレフィックス（ＣＰ）サブフレーム中の８つのＣＳＩ−ＲＳポートの場合のＣＳＩ−ＲＳへのＲＥパターン割当てを示す、ＲＢ８００のブロック図表現である。
【００５３】
図９は、フレーム構造ＦＳ２のための、ノーマルサイクリックプレフィックス（ＣＰ）サブフレーム中の４つのＣＳＩ−ＲＳポートの場合のＣＳＩ−ＲＳへの代替ＲＥパターン割当てを示す、ＲＢ９００のブロック図表現である。
【００５４】
図１０は、フレーム構造（ＦＳ）ＦＳ１とＦＳ２の両方のための、拡張サイクリックプレフィックス（ＣＰ）サブフレーム中の２つのＣＳＩ−ＲＳポートの場合のＣＳＩ−ＲＳへのＲＥパターン割当てを示す、ＲＢ１０００のブロック図表現である。
【００５５】
図１１は、フレーム構造（ＦＳ）ＦＳ１とＦＳ２の両方のための、拡張サイクリックプレフィックス（ＣＰ）サブフレーム中の４つのＣＳＩ−ＲＳポートの場合のＣＳＩ−ＲＳへのＲＥパターン割当てを示す、ＲＢ１１００のブロック図表現である。
【００５６】
図１２は、フレーム構造（ＦＳ）ＦＳ１とＦＳ２の両方のための、拡張サイクリックプレフィックス（ＣＰ）サブフレーム中の８つのＣＳＩ−ＲＳポートの場合のＣＳＩ−ＲＳへのＲＥパターン割当てを示す、ＲＢ１２００のブロック図表現である。
【００５７】
図１３は、フレーム構造ＦＳ２のための、拡張サイクリックプレフィックス（ＣＰ）サブフレーム中の８つのＣＳＩ−ＲＳポートの場合のＣＳＩ−ＲＳへの代替ＲＥパターン割当てを示す、ＲＢ１３００のブロック図表現である。
【００５８】
概して、いくつかのデータＲＥがＣＳＩ−ＲＳの送信のために割り当てられた（または確保された）とき、そのような情報は、異なるＵＥ１２０に知られても知られなくてもよい。たとえば、レガシーＵＥ１２０（たとえば、Ｒｅｌ８ＵＥ１２０）はＣＳＩ−ＲＳに気づいていないが、リリース１０ＵＥはＣＳＩ−ＲＳに気づいていることがある。そのような場合、新しいＵＥおよびレガシーＵＥ１２０へのデータ送信は互換性のために「レートマッチング」または「パンクチャ」され得る。
【００５９】
いくつかの設計では、ＣＳＩ−ＲＳに現在割り当てられているＲＥ中で送信されたであろうデータを送信からドロップするだけで、パンクチャリングが達成され得る。レガシー受信機は、送信を受信し、たとえば、エラーコーディング技法を使用してその受信された送信を復元することが可能であり得る。いくつかの設計では、ＣＳＩ−ＲＳに割り当てられたＲＥをスキップするが、新しいＵＥ１２０への送信の対象となるすべての対象となるデータビットを送信することによって、レートマッチングが達成され得る。データはまた、ＣＳＩ−ＲＳに気づいていないＵＥのためにパンクチャのみされ得る。ＣＳＩ−ＲＳに気づいているＵＥの場合、レートマッチングまたはパンクチャリングのいずれかが使用され得るが、ＵＥとｅＮＢのどちらもどの手法が使用されるかに気づいている必要がある。レートマッチングはパンクチャリングよりもパフォーマンスが良いことが予想される。いくつかの設計では、利用可能なデータＲＥは、まず周波数において順序付け、続いて時間において順序付けることによってデータ送信のために使用され得る。
【００６０】
図１４を参照すると、１つのシンボルの４つの連続するＲＥのグループ中のＣＳＩ−ＲＳ送信にデータＲＥを割り当てるための２つの可能なリソース割振り方式が示されている。同様の方式がＲＥグループの他のサイズに対しても使用され得ることを理解されたい。グループ１４００において、近隣ＲＥ１４０４のペアがＣＳＩ−ＲＳに割り当てられ得、それによりＲＥ１４０２のペアがデータ送信のために利用可能になり得る。別の方式では、グループ１４０１において、ＣＳＩ−ＲＳに割り当てられたＲＥペア１４０３中の第１のＲＥはＲＥの近隣ペアから来得、ＲＥペア１４０３中の第２のＲＥはＲＥの第２の近隣ペアから来得る。わかるように、グループ１４０１のために示された方式は、ＣＳＩ−ＲＳ送信によって２つのデータＲＥペアのパンクチャリングを生じる。対照的に、グループ１４００ではただ１つのデータＲＥペアがパンクチャされ、それにより、グループコーディング方式（たとえば、ＳＦＢＣ）を使用したＲＥペア１４０２上のデータ送信が可能になる。
【００６１】
しかしながら、ＳＦＢＣおよびＳＦＢＣ−ＦＳＴＤなどの送信ダイバーシティ方式では、ＣＳＩ−ＲＳ送信が割り当てられたＲＢ内の利用可能なデータＲＥの数が２または４の倍数でないとき、残りのＲＥがＳＦＢＣまたはＳＦＢＣ−ＦＳＴＤグループに割振り可能でないことがあるので、データＲＥを浪費することを低減または回避するために、残りのデータＲＥの使用は慎重に計画される必要があり得る。たとえば、ＳＦＢＣおよびＳＦＢＣ−ＦＳＴＤは、それぞれ２つおよび４つのＲＥのグループ中のＲＥ割振りを必要とする。以下の表１に、そのような場合につながるＣＳＩ−ＲＳポートとＣＲＳポートとの可能な組合せを記載する。
【００６２】
表１を参照すると、第１の列は、特定のＣＳＩ−ＲＳ割当てシナリオのために仮定されたＣＲＳポートの数を示している。第２の列「送信ダイバーシティ方式」は、データ送信のために使用される送信コーディング技法を記載している。第３の列は、様々な可能なＣＳＩ−ＲＳアンテナポート割当てを記載している。第４の列は、いくつかの設計において最初の３列中の基準信号構成の組合せが使用され得るかどうかを記載している。第５の列は、最初の３列中に記載されたデータおよび基準信号構成について起こり得る、ＲＢごとの可能なレートマッチング問題を記載している。
【表１】
0005612132.tif 000002
【００６３】
図１５を参照すると、ＣＳＩ−ＲＳを含んでいるシンボル１５００、１５０２、１５０４、１５０６、１５１２、１５１３、１５１４および１５１５について、１１個の利用可能なＲＥがある。これらのシンボルは、たとえば、図３〜図１３に示すシンボルインデックス５、６、９、１０、１２または１３に対応し得る。図１５に示されたＣＳＩ−ＲＳ割当てパターンは、態様の中でも、ＣＳＩ−ＲＳシンボル上およびＲＢ上のアンテナポート切替えとともにＣＳＩ−ＲＳの周りのレートマッチングのアイデアを強調する。いくつかの設計では、（上部から数えて）最初の１０個の利用可能なＲＥは、アルファベットＡからＥおよびＧからＫの小文字と大文字の組合せで示された、５つのＳＦＢＣペアのために使用され得る。近隣シンボル中の（「Ｆ」および「ｆ」で示された）残りのＲＥ１５０２については（いわゆるオーファンＲＥ）、ただ１つの変調シンボルが、ただ１つのＣＲＳアンテナポートから送信され得る。図示のように、オーファンＲＥを有するＣＳＩ−ＲＳを含んでいる２つのシンボル１５００、１５０４がある。ＣＳＩ−ＲＳを含んでいる２つのＯＦＤＭシンボル上のＲＢ内で使用されるＣＲＳアンテナポートは異なり得る。ＣＳＩ−ＲＳを含んでいるＯＦＤＭシンボル上のオーファンＲＥのために使用されるアンテナポートは、（図１５中で「ＡＰ０」および「ＡＰ１」として示された）ＲＢ上で切り替わり得る。一態様では、これにより、ＳＦＢＣ送信のために複数のＲＢが使用されるときに、両方のＣＲＳアンテナポートがほぼ均等に使用されることが保証され得る。
【００６４】
いくつかの設計では、以下のアンテナポートからＲＥへのマッピング方式が使用され得る。第１のＣＳＩ−ＲＳシンボル１５００では、アンテナポート０は、（シンボル１５００によって表される）偶数ＲＢ上で使用され、アンテナポート１は、奇数ＲＢ（シンボル１５０２）のために使用される。第２のＣＳＩ−ＲＳシンボルでは、アンテナポート０は奇数ＲＢ（シンボル１５０６）上で使用され、アンテナポート１は偶数ＲＢ（シンボル１５０４）上で使用される。明快のために、図１５では、ＲＢ中のＣＳＩ−ＲＳ  ＲＥを含んでいる２つのシンボルのみが示されている。
【００６５】
図１５に示すように、ＣＳＩ−ＲＳ割当てを含む各シンボルについて、データ送信のために利用可能な１１個のＲＥがある。（上部から）最初の１０個のＲＥは、データ送信のために５つのＳＦＢＣペア中で使用され得る。残りのＲＥ（オーファンＲＥ）は、以下の条件、すなわち、（１）オーファンＲＥ上では、ただ１つの変調シンボルが、ただ１つのＣＲＳアンテナポートから送信され得ること、（２）オーファンＲＥを有するＣＳＩ−ＲＳを含んでいる２つのシンボルがあり、ＣＳＩ−ＲＳを含んでいる２つのＯＦＤＭシンボル上のＲＢ内で使用されるＣＲＳアンテナポートが異なること、ならびに（３）ＣＳＩ−ＲＳを含んでいるシンボル上のオーファンＲＥのために使用されるアンテナポートが（偶数および奇数）ＲＢ上で切り替わることを満たし得る。一態様では、この切替えにより、ＳＦＢＣ送信のために複数のＲＢが使用されるときに、両方のＣＲＳアンテナポートがほぼ均等に使用されることが保証され得る。
【００６６】
シンボル１５００、１５０４、１５１２および１５１４のためのマッピング方式は、上記で開示した条件を達成することを諒解されよう。１５０２では、アンテナポート０は偶数ＲＢ上で使用され、アンテナポート１は奇数ＲＢのために使用される。第２のＣＳＩ−ＲＳシンボル１５０４では、アンテナポート０は奇数ＲＢ上で使用され、アンテナポート１は偶数ＲＢ上で使用される。シンボル１５００、１５０４、１５１２および１５１４のためのマッピング方式中の最後のＲＥがオーファンＲＥとして選択されているが、利用可能な１１個のＲＥのどの１つも、パフォーマンスに基づいてオーファンＲＥとして選択され得ることを理解されたいことに留意すべきである。さらに、ＣＳＩ−ＲＳシンボル上およびＲＢ上のアンテナポート切替えとともにＣＳＩ−ＲＳの周りのロングレートマッチングが実行されるときに、シンボル１５００、１５０４、１５１２および１５１４のためのマッピング方式の特定のアンテナポートおよび偶数／奇数ＲＢは変更され得る。
【００６７】
次にシンボル１５０１、１５０３、１５１３および１５１５を参照すると、ＣＳＩ−ＲＳシンボル上およびＲＢ上のアンテナポート切替えを用いた、ＣＳＩ−ＲＳの周りのレートマッチングのためのマッピング方式が示されている。このマッピング方式は、ＳＦＢＣ−ＦＳＴＤ送信ダイバーシティ方式を使用したデータ送信の周りのレートマッチングを含み得る。ＣＳＩ−ＲＳを含んでいないシンボル（図１５に図示せず）では、Ｒｅｌ８マッピング方式が使用され得る。ＣＳＩ−ＲＳを含んでいるシンボル、たとえば、シンボル１５０１、１５０３、１５１３および１５１５では、１０個の利用可能なＲＥがある。最初の８つの利用可能なＲＥは、２つのＳＦＢＣ−ＦＳＴＤペアに適応するために使用され得る。残りの２つのＲＥ（オーファンＲＥ）については、以下のマッピング条件、すなわち、（１）２つのオーファンＲＥ上で、２つのアンテナポートを使用するＳＦＢＣ送信方式を使用することと、（２）ＣＳＩ−ＲＳを含んでいる２つのＯＦＤＭシンボル上のＲＢ内のオーファンＲＥのために使用されるＣＲＳアンテナポートが異なること、すなわち、第１のＣＳＩ−ＲＳシンボル上のオーファンＲＥのためにアンテナポート（０，２）を使用する場合、第２のＣＳＩ−ＲＳシンボル上のオーファンＲＥのためにアンテナポート（１，３）を使用することと、（３）オーファンＲＥのために使用されるアンテナポートがＲＢ上で切り替わることとが満たされ得る。これにより、ＳＦＢＣ送信のために複数のＲＢが使用されるときに、すべての４つのＣＲＳアンテナポートがほぼ均等に使用されることが保証される。シンボル１５０１、１５０３、１５１３および１５１５について上記の条件に一致する例示的なマッピングが示されている。
【００６８】
いくつかの設計では、近隣セルのＣＳＩ−ＲＳ  ＲＥと同じ時間周波数ロケーションを占有しているデータＲＥは、所与のセル中のデータ送信中にミュートされ得る（すなわち、使用され得ない）。一態様では、そのようなデータＲＥのミュートは、たとえば、ＣｏＭＰおよびＨｅｔＮｅｔシナリオでは、近隣セルのＣＳＩ−ＲＳチャネル推定の有効性を改善し得る。いくつかの設計では、ＵＥ１２０の観点から、ミュートは、単に、ｅＮＢ１１０がミュートされたＲＥの周りのデータ送信にレートマッチングすることを意味し得、ＲＥは、実際には、ｅＮＢ１１０によってミュートされ得ない（すなわち、送信のために使用され得ない）。
【００６９】
しかしながら、ミュートの知識を有しておらず、したがって、ミュートされたＲＥ中でデータを受信しようと試みるＵＥ１２０は、受信機パフォーマンスの低下を被り得る。したがって、一態様では、ミュートロケーションに関する、ＵＥ１２０に与えられる情報は、受信機パフォーマンスを維持するためにＵＥ１２０にとって有用であり得る。いくつかの設計では、ＵＥ１２０は、ミュートされたＲＥの周りでレートマッチングされ得る。
【００７０】
図１６は、ＣＳＩ−ＲＳが送信されるＲＢからの２つのシンボル１６００のグループのブロック図表現である。ＲＥは、データ送信のために割り振られたＳＦＢＣペア１６０２、１６０８および１６１２を含む。ＲＥ１６０４は、ベアラセル中のＣＳＩ−ＲＳ送信に割り振られている。ＲＥ１６０６は、近隣セル中のＣＳＩ−ＲＳ送信に割り振られ、ベアラセル中でミュートされる。同様に、ＲＥ１６１０もベアラセル中でミュートされる。ＳＦＢＣペア１６０２および１６０８は、時間周波数の連続するＲＥを備えるが、ＳＦＢＣグループ１６１２は、中間のＣＳＩ−ＲＳパターン１６０４とミュートされたＲＥ１６０６とにより２つの部分に分割されていることがわかるであろう。ミュートされたトーンとＣＳＩ−ＲＳトーンとの周りでレートマッチングするための前で説明したレートマッチング技法を使用することは、３トーン以上離れているトーン上でのＳＦＢＣのそのような使用がＳＦＢＣ方式のパフォーマンスを劣化させ得る状況をもたらし得る。
【００７１】
いくつかの設計では、図１６中のシンボル１６０１に示すように、ペアになったＲＥが見つからないトーンはオーファンＲＥ１６０３として扱われ得る。（グループ１６０１に示すように）利用可能なデータＲＥの数が偶数である場合でも、そのようなオーファンＲＥは２つのＣＲＳポートでも発生し得ることに留意されたい。次いで、前に説明した方式がこれらのオーファンＲＥに適用され得る。すなわち、ＳＦＢＣのためにペアリングされ得ない１つまたは複数のオーファンＲＥがある場合、ただ１つの変調シンボルが、ただ１つのアンテナポートを使用して各オーファンＲＥ上で送信される。いくつかの設計では、オーファンＲＥは未使用でもよい（すなわち、送信は実行されない）。使用されるアンテナポートはＲＢ上で変化する。アンテナポートが、ＲＢ内の同じＯＦＤＭシンボル上の異なるオーファンＲＥのために変化する、さらなる最適化も考察され得る。ただし、マッピングの複雑さは増加し、ＣＲＳと、ＣＳＩ−ＲＳと、ミュートされたＲＥとの厳密な組合せに依存する。４ＣＲＳの場合と同様に、適応されたＳＦＢＣペアの数が２の倍数でないとき、ペアになっていないＳＦＢＣのために使用されるアンテナポートはＲＢ上で切り替えられ得る。
【００７２】
図１７を参照すると、時空間ブロックコーディング（ＳＴＢＣ：space-time block coding）送信ダイバーシティ方式を使用してＣＳＩ−ＲＳとミュートされたＲＥとの周りでレートマッチングするためのマッピング方式１７００の一例が示されている。マッピング方式１７００は、簡単および明快のためにＣＳＩ−ＲＳを含んでいる２つのシンボル中でのみ示されていることに留意されたい。マッピング方式１７００は偶数ＲＢおよび奇数ＲＢについて同じである。マッピング方式１７００は、ＣＳＩ−ＲＳ／ミュートされたＲＥを含んでいるシンボル上の２つのＣＲＳアンテナポートのためにＳＴＢＣを採用する。他のシンボル上ではＳＦＢＣが使用され続けられ得ることに留意されたい。
【００７３】
図１８および図１９を参照すると、ミュートを使用する設計において、ＣＳＩ−ＲＳまたはミュートされたトーンを含んでいるシンボル上の２つおよび４つのＣＲＳアンテナポートのためにそれぞれＳＴＢＣおよびＳＴＢＣ−ＦＳＴＤを採用する代替方式が使用され得る。この代替方式では、ミュートまたはＣＳＩ−ＲＳ  ＲＥ割当てを有しない他のシンボル上でＳＦＢＣおよびＳＦＢＣ−ＦＳＴＤが使用され得る。ＳＴＢＣ−ＦＳＴＤでは、アンテナポートは、利用可能なＲＥ上の（０，２）と（１，３）との間で交替され得る。いくつかの設計では、４つのＣＲＳアンテナポートでは、ＳＴＢＣのために使用されるアンテナポートは、偶数ＲＢの第１の利用可能なＲＥ上で（０，２）に、および奇数ＲＢの第１の利用可能なＲＥ上で（１，３）に固定され得る。一態様では、固定マッピングにより、すべてのアンテナポートの均等な利用を保証するのを助け得る。
【００７４】
たとえば、図１８において、シンボルペア１８００（たとえば、ＣＳＩ−ＲＳが割り当てられているＲＢのシンボル５および６）が偶数ＲＢのために示されている。前に説明したように、シンボル中のＲＥがＳＴＢＣ−ＦＳＴＤペア、ＣＳＩ−ＲＳに割り当てられ、ミュートされた後、各シンボル中の（「Ｄ１」で示された）残りのＲＥは、アンテナポート（０，２）に割り当てられ得るＲＥペア１８０２を形成する。同様に、シンボルペア１９００中のＲＥペア１９０２はアンテナポート（１，３）に割り当てられ得る。
【００７５】
いくつかの設計では、前に説明したように、データ送信は、ＳＦＢＣおよびＳＦＢＣ−ＦＳＴＤなどの送信ダイバーシティ方式のためにＣＳＩ−ＲＳとミュートされたトーンとの周りでレートマッチングされ得る。ＣＳＩ−ＲＳ送信がミュートなしに実行されるいくつかの設計では、ＣＳＩ−ＲＳへのＲＥ割振りは、前に説明したように、（ａ）２つのＣＳＩ−ＲＳおよび２つのＣＲＳと、（ｂ）４つのＣＳＩ−ＲＳおよび４つのＣＲＳとの２つの場合についてオーファンＲＥを生じ得る。いくつかの設計では、２つのＣＲＳの場合のオーファンＲＥ中で単一アンテナポート送信が使用され得る。いくつかの設計では、４つのＣＲＳの場合のオーファンＲＥ中でＳＦＢＣ送信が使用され得る。電力アンバランスの緩和、またすべてのアンテナポートへの一様な送信リソース割振りを保証するために、アンテナポートが（奇数および偶数）ＲＢ上およびＯＦＤＭシンボル上で切り替えられ得る。
【００７６】
前に説明した図１６を再び参照すると、２つのシンボルペア１６００および１６０１のためのマッピング方式が示されている。図１６から、ＳＦＢＣペア「Ｂ」１６１２に割り当てられているＲＥが３つのサブキャリアだけ離れていることがわかるであろう。いくつかの設計では、ＵＥ１２０は、これらのＲＥ中で送信された信号に対応する受信信号を、所与のＲＥグループ中のすべてのＲＥ（たとえば、ＲＥペア中の両方のＲＥ）に対して同じチャネル特性を仮定することによって処理していることがある。Ｒｅｌ８におけるリソースペアに割り当てられる典型的なＲＥは、近隣ＲＥであるか、またはシンボル内で１つのＲＥだけ離れているかのいずれかであるので、そのような仮定は、Ｒｅｌ８ＵＥ１２０など、いくつかの従来のＵＥ１２０によって行われ得、実装を簡単にするために他のＵＥ１２０によって行われ得る。したがって、いくつかの設計では、分離されたＲＥペアは、ＲＥペア中の両方のＲＥに対して同じチャネル特性を仮定するＵＥ１２０のパフォーマンスの低減をもたらし得る。「分離されたＲＥペア」という用語は、構成ＲＥが２つのＲＥ以上離れているＲＥペアを指す。たとえば、図１６中の２つの「Ｂ」ＲＥは、３つのＲＥだけ分離されており、したがって「分離されたＲＥペア」であると見なされ得る。
【００７７】
いくつかの設計は、分離されたＲＥを受信することによって起こり得るパフォーマンス障害を、一態様では、シンボル中の利用可能なＲＥがＲＥペア中のＲＥ間の分離を最小限に抑えるように割り振られるＲＥペア割振りのための技法を使用することによって克服し得る。たとえば、いくつかの設計では、たとえば、図式表現１６００または１６０１の上部から下部に、所与のシンボル中の利用可能なＲＥをトラバースし、たとえば、表２に記載された擬似コードによって記述される技法を使用して、ＲＥをＲＥペアに割り当てることによって、ＲＥ割振りが実行され得る。表２中の擬似コードリストは、１２個のＲＥの所与のＲＢ内のＲＥ割当て用であることに留意されよう。以下でさらに留意されるように、複数のＲＢを含むリソース割当てチャンクのために同様の割当てが実行され得る（すなわち、倍数１２のＲＥグループが単一のＵＥに割り当てられる）。
【表２】
0005612132.tif 000003
【００７８】
表２中のリストからわかるように、コードリストによるＲＥ割当ては、構成ＲＥがシンボル内で単一のサブキャリアよりも大きく離れていないＲＥペアを生じることになる。
【００７９】
次に図２０を参照すると、複数の連続するＲＢが所与のＵＥ１２０への送信のために使用されるときの例示的なＲＥ割当て２０００が示されている。表２の擬似コードは、Ｎのための適切な上限しきい値を超えて実行するような場合に（たとえば、Ｎ＜２４であり、所与のＵＥ１２０のために２つのＲＢが使用されるときに）修正され得ることを、当業者は諒解されよう。さらに、図２０からわかるように、連続するＲＢの使用により、非グループ化（またはオーファン）ＲＥの数が低減し得る。たとえば、シンボルペア１６０１中の「Ｅ」および「ｅ」で示されたＲＥはグループ化されていないが、図２０中の対応するＲＥは、ＲＥ割当て２０００においてペアにされ、割り当てられており、それによって非グループ化ＲＥの数が低減している。
【００８０】
ＳＦＢＣ−ＦＳＴＤを使用する４つのＣＲＳポートのために同様のＲＥ割当て技法が使用され得る。そのような場合、ＲＢ内で利用可能であると発見されたＳＦＢＣペアの数が奇数である場合、最後のＳＦＢＣペアはスキップされてもよい。代替的に、ＯＦＤＭシンボル上で発見されたＳＦＢＣペアの数が奇数である場合、最後のＳＦＢＣペアはスキップされてよい。これは、ＳＦＢＣペアの数が偶数になることを保証し、それにより、すべての４つのＣＲＳポートが均等に使用されることが保証される。
【００８１】
代替的に、いくつかの設計では、ＲＥペアがＲＢ上で形成されないことがある（たとえば、シンボルペア１６０１中の「Ｅ」および「ｅ」などのＲＥは、それらのＲＥを別のリソースブロックからの近くのＲＥとペアリングすることが可能であり得るときでも、グループ化されないまま残されることがある）。
【００８２】
いくつかの設計では、周波数領域複信（ＦＤＤ）送信が使用される場合、ＣＳＩ−ＲＳは、ＰＢＣＨおよび同期信号を含むサブフレーム中に割り振られないことがある。いくつかの設計では、ＣＳＩ−ＲＳ  ＲＥ割振りからページングサブフレームが除外され得る。たとえば、これにより、ＣＳＩ−ＲＳ信号が送信フレーム構造中のサブフレームインデックス０、４、５および９上で送られなくなり得る。
【００８３】
そのようなサブフレーム上でＣＳＩ−ＲＳが省略される設計では、たとえば、サブフレーム０、４、５および９からのＣＳＩ−ＲＳ信号の省略を考慮に入れることによってリレーアクセスおよびバックホール区分が実行され得るように、ＲＥは依然として割り振られ得る。
【００８４】
ワイヤレスチャネル上で時間領域複信（ＴＤＤ）が使用されるとき、いくつかの設計では、ＰＢＣＨがサブフレームインデックス０上にあり得る。送信のスロット１の最初の４つのシンボルにおいて、２つのシンボルは基準信号送信を含み、２つのシンボルは基準信号送信を含まないことがある。いくつかの設計では、サブフレーム１および６中の第３のＯＦＤＭシンボル上で１次同期信号（ＰＳＳ：primary synchronization signal）が送信され得る。同様に、サブフレーム０および５中の最後のＯＦＤＭシンボル上で２次同期信号（ＳＳＳ）が送信され得る。いくつかの設計では、これらのシンボルはＣＳＩ−ＲＳ送信から除外され得る。上記のようなＲＥの除外の結果として、ＰＢＣＨおよびＳＳＳをもつサブフレーム上で３０個のＣＳＩ−ＲＳ  ＲＥが利用可能になり、ＳＳＳのみをもつサブフレーム５上で５４個のＣＳＩ−ＲＳ  ＲＥが利用可能になり得る。いくつかの設計では、代替サブフレーム５はＳＩＢ１を含んでおり、ＣＳＩ−ＲＳ割振りはそのようなサブフレームをも回避し得る。
【００８５】
表３に、アップリンク送信（「Ｕ」）、ダウンリンク送信（「Ｄ」）および同期信号（「Ｓ」）への所与の構成のための各サブフレームの割振りとともに、様々なアップリンクダウンリンク構成モード（列１）と、各モードの切替えポイント周期性（列２）とを要約する。
【表３】
0005612132.tif 000004
【００８６】
いくつかの設計では、ｅＮＢ１１０は、次のようにページング構成に基づいてページング動作を実行し得る。ＦＤＤでは、周期的に繰り返される、サブフレーム｛９｝または｛４，９｝または｛０，４，５，９｝上にあるようにページングを選択する。ＴＤＤでは、サブフレーム｛０｝、｛０，５｝、｛０，１，５，６｝上でページングを周期的に実行する。構成０（Config 0）では、特殊サブフレーム上の３つのＤＬ  ＯＦＤＭシンボルのみが利用可能であり得、したがって、これらのシンボル上ではＣＳＩ−ＲＳが実行され得ない。
【００８７】
いくつかの設計では、したがって、ＣＳＩ−ＲＳ送信によってカバーされる帯域幅は複数のグループ（たとえば２つのグループ）に分割され得る。たとえば、サブフレーム０上で、帯域幅の５０％がＣＳＩ−ＲＳ送信によってカバーされ得、サブフレーム５上で、残りの５０％の帯域幅がＣＳＩ−ＲＳ送信によってカバーされ得る。いくつかの設計では、ＣＳＩ−ＲＳ送信に気づいているＵＥ１２０へのデータ送信が、これらのサブフレームの外部で実行され得る。いくつかの設計では、構成０の場合、ＣＳＩ−ＲＳがサポートされ得ない。
【００８８】
複数のセルを備えるワイヤレスシステムでは、ＣＳＩ−ＲＳ送信が、複数のサブフレーム中のＲＥに割り振られ得る。一態様では、複数のサブフレーム上のＣＳＩ−ＲＳ  ＲＥの割振りは、近隣セル中の同じリソースのより良い再利用を可能にし得る。一態様では、複数のサブフレームを使用することは、ＨｅｔＮｅｔ構成におけるサブフレーム区分を可能にし得る。
【００８９】
複数のサブフレーム上のＣＳＩ−ＲＳの割振りはまた、リレー動作におけるＣＳＩ−ＲＳの使用を助け得る。たとえば、リレーノードは、ＤＬアクセスサブフレーム上でＣＳＩ−ＲＳを送信し得、ＤＬバックホール上でマクロからのＣＳＩ−ＲＳをリッスンする必要があり得る。複数のサブフレームを利用することにより、リレーノードは、同じサブフレーム上でＣＳＩ−ＲＳを送信および受信する必要がなくなり、それによりリレー設計上の複雑さの負担が軽減され得る。
【００９０】
様々な設計では、サブフレームの区分は、必ずしもサブフレームをフレームの周期性（たとえば、１０ｍｓ）で分割し得るとは限らない。柔軟性のために、ＣＳＩ−ＲＳのためのＲＥパターンが定義され得、ビットマップを使用して情報がｅＮＢ１１０からＵＥ１２０に搬送され得る。ビットマップの使用は、他のＲＥ割振りとの将来の互換性をも可能にし得る。たとえば、いくつかの設計では、不均等に離間した（すなわち非周期）サブフレームが基準信号送信に割り振られ、サブフレーム周期にわたってサブフレームのパターンが繰り返され得る。非限定的な例として、４０ミリ秒周期にわたってサブフレーム０、５および２０がサブフレームの所与のシーケンスで割り振られ、４０ミリ秒ごとにパターンが繰り返され得る。相応して、非周期サブフレームパターンが、ダウンリンクメッセージを使用してＵＥ１２０に搬送され得、ＵＥ１２０は、繰り返しの周期を有する非周期（すなわち不均等に離間した）送信パターンを受信するように構成され得る。
【００９１】
いくつかの設計では、ＣＳＩ−ＲＳ送信に（たとえば、特定のアンテナポートに）割り振られたＲＥが、ある時間期間にわたってホッピングされ得る。一態様では、ホッピングにより、ＵＥ１２０は、強い干渉近隣セル送信によって影響されることなしに少なくとも数個のＣＳＩ−ＲＳを受信することが可能となり得る。いくつかの設計では、アンテナポートごとに異なるホッピングパターンが使用され得る。代替的に、いくつかの設計では、ホッピングはアンテナポートのグループに対して定義され得る（すなわち、そのグループ中のすべてのアンテナポートの送信が衝突するかまたは衝突しない）。後者の代替形態は、ＵＥ１２０が、ＣＳＩ−ＲＳがいつ衝突するかを把握することができ、その場合にＣＱＩを使用しない場合により良く作用し得る。前者の代替形態では、少数のアンテナポートが衝突する機会がより大きくなり、報告されるＣＱＩ／ＰＭＩがよりしばしば誤っているようになり得る。
【００９２】
いくつかの設計では、ミュートパターンがベアラネットワークの電力クラスに基づいて選択され得る。たとえば、いくつかの設計では、マクロセル用のｅＮＢ１１０は、すべてのピコセルのＣＳＩ−ＲＳロケーションをミュートし得る。いくつかの設計では、フェムトセル用のｅＮＢ１１０は、すべてのマクロセルおよびピコセルのＣＳＩ−ＲＳロケーションをミュートし得る。いくつかの設計では、ミュートパターンは、ＵＥ１２０からのフィードバックに基づいて変更され得る。
【００９３】
図２１は、ワイヤレス通信のためのプロセス２１００のフローチャート表現である。ボックス２１０２において、サブフレーム中の複数の利用可能なデータリソース要素（ＲＥ）を識別する。利用可能なデータＲＥは、たとえば、いずれかのＣＳＩ−ＲＳ送信に割り当てられたＲＥ、または他のセル中の対応するＣＳＩ−ＲＳ送信のためにミュートされたＲＥを備え得る。利用可能なＲＥは、たとえば、図１５に示すＳＦＢＣペアまたはＳＦＢＣ−ＦＳＴＤペアに割り当てられたＲＥを含み得る。ボックス２１０４において、グループ内のすべての割り当てられたデータＲＥが、時間領域において互いのシンボルの所定数内にあり、周波数領域において互いのサブキャリアの第２の所定数内にあり、それによって１つまたは複数の非グループ化ＲＥを生じるように、ＲＥの所定数のグループ中でのワイヤレスデバイスへのデータ送信のために、複数の利用可能なデータＲＥからのＲＥを割り当てる。たとえば、図１５〜図２０に示すように、ＣＳＩ−ＲＳに割り当てられていないおよび／またはミュートされていないＲＥは、同じシンボル上のＲＥグループまたは近隣シンボル上のＲＥグループにグループ化され得る。いくつかの設計では、２つのシンボルだけ離れているＲＥもグループ化され得る（たとえば、ＣＳＩ−ＲＳが割り振られているＲＢ中のシンボル５、６、９および１０）。いくつかの設計では、１つまたは２つのサブキャリアインデックスだけ離れているＲＥは、単一のデータ送信グループにグループ化され得る（たとえば、図１５中のＲＥペア１５１６）。
【００９４】
いくつかの設計では、残りのＲＥがＣＳＩ−ＲＳおよびデータ送信に割り当てられた後に、いくつかのＲＥが残され得る（たとえば、シンボル１５００中の「Ｆ」で示されたＲＥ）。いくつかの設計では、残りのＲＥは、他のワイヤレスデバイスへの他の送信に割り当てられ得る（たとえば、別のＵＥ１２０へのデータ送信）。いくつかの設計では、残りのＲＥは未使用のまま残され得る（すなわち、送信は実行されない）。
【００９５】
いくつかの設計では、ＲＥのグループ化は、同じリソースブロック内のＲＥに制限され得る。たとえば、（たとえば、図１５〜図１７に示す）同じＲＥ割当てパターンが、基準信号送信が割り当てられた各ＲＢ中で繰り返され得る。また、上記で説明した様々なＲＥ割当てパターンは、別の基準信号（たとえば、ＣＲＳ）のために使用される送信アンテナポートの数に応じて変わり得ることが諒解されよう。
【００９６】
いくつかの設計では、ＲＥのグループ内のＲＥへのデータ送信割当ては、空間周波数ブロック符号（ＳＦＢＣ）と時空間ブロック符号とのペアを備え得る。いくつかの設計では、ＲＥのグループ内でのデータ送信は送信ダイバーシティ方式を備え得る。送信ダイバーシティ方式は、たとえば、Ａｌａｍｏｕｔｉ方式であり得る。
【００９７】
いくつかの設計では、少なくとも１つの非グループ化ＲＥが、データ送信が送り届けられる同じデバイスへの送信のために使用され得る。ただし、使用される送信方式は異なり得る。たとえば、送信グループ中のＲＥのためにはＳＦＢＣペアリングが使用され得るが、非グループ化ＲＥのためには別の送信方式（たとえば、単一アンテナポート送信）が使用され得る。
【００９８】
図２２は、ワイヤレス通信装置の一部分２２００のブロック図表現である。モジュール２２０２は、サブフレーム中の複数の利用可能なデータリソース要素（ＲＥ）を識別するためのものである。モジュール２２０４は、グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの所定数のグループ中でのワイヤレスデバイスへのデータ送信のために、複数の利用可能なデータＲＥからのＲＥを割り当てるためのものである。いくつかの設計では、利用可能なデータリソースＲＥから割り当てるための識別器が使用され得、複数の残りのデータＲＥからのＲＥを割り当てるための割当て器が使用され得る。
【００９９】
図２３は、ワイヤレス通信のためのプロセス２３００のフローチャート表現である。ボックス２３０２において、基準信号送信にシンボルのリソース要素（ＲＥ）を割り当てる。ボックス２３０４において、シンボルの残りのＲＥの少なくとも一部をミュートし、それによってそれらのミュートされたＲＥ上でデータを送信することを控える。ボックス２３０６において、基準信号の送信電力をブーストすることによって基準信号を送信する。前に説明したように、いくつかの設計では、ミュートされたＲＥは、別の近隣セル中での基準信号（たとえば、ＣＳＩ−ＲＳ）の送信のために使用される送信リソース（たとえば、ＲＥロケーション）を備え得る。
【０１００】
図２４は、ワイヤレス通信装置の一部分２４００のブロック図表現である。モジュール２４０２は、基準信号送信にシンボルのリソース要素（ＲＥ）を割り当てるためのものである。モジュール２４０４は、シンボルの残りのＲＥの少なくとも一部をミュートし、それによってそれらのミュートされたＲＥ上でデータを送信することを控えるためのものである。モジュール２４０６は、基準信号の送信電力をブーストすることによって基準信号を送信するためのものである。いくつかの設計では、ＲＥは割当て器によって割り当てられ得、ミュートはプロセッサによって実行され得、基準信号を送信するために送信機が使用され得る。
【０１０１】
図２５は、ワイヤレス通信のためのプロセス２５００のフローチャート表現である。ボックス２５０２において、基準信号に複数のサブフレームの周期性を有する非周期送信リソースパターンを割り当てる。ボックス２５０４において、その非周期送信リソースパターンに従って基準信号を送信する。いくつかの設計では、非周期送信リソースが、ダウンリンクメッセージを使用してＵＥ１２０にシグナリングされ得る。いくつかの設計では、そのダウンリンクメッセージは、基準信号の送信のために使用されるＲＥを示すビットマップを備え得る。前に説明したように、リレーノードが同じ送信サブフレーム中で基準信号を受信および送信しなくてもよいように、非周期送信が割り振られ得る。いくつかの設計では、非周期送信リソースパターンは、所与の数のサブフレーム中に（たとえば、４０ミリ秒にわたって）、不均等に（すなわち非周期的に）離間したサブフレーム、たとえば、サブフレーム０、５、２０を含み得、非周期すなわち不均等に離間したこのサブフレームパターンは繰り返され得る。
【０１０２】
図２６は、ワイヤレス通信装置の一部分２６００のブロック図表現である。モジュール２６０２は、基準信号に複数のサブフレームの周期性を有する非周期送信リソースパターンを割り当てるためのものである。モジュール２６０４は、その非周期送信リソースパターンに従って基準信号を送信するためのものである。
【０１０３】
図２７は、ワイヤレス通信のためのプロセス２７００のフローチャート表現である。ボックス２７０２において、基準信号の送信機の電力クラスに応じて送信機にリソースを割り振る。ボックス２７０４において、割り振られたリソースを使用して、送信機からの基準信号の送信を実行する。前に説明したように、電力クラスは、マクロクラス、ピコクラスおよびフェムトクラスのうちの１つであり得る。一態様では、送信リソースの電力クラスベースの割当ては、マクロセルがピコセルまたはフェムトセルと干渉することと、フェムト基地局が他のフェムト／ピコ／マクロ基地局と干渉することとを回避するのに役立ち得る。
【０１０４】
図２８は、ワイヤレス通信装置の一部分２８００のブロック図表現である。モジュール２８０２は、基準信号の送信機の電力クラスに応じて送信機にリソースを割り振るためのものである。モジュール２８０４は、割り振られたリソースを使用して、送信機からの基準信号の送信を実行するためのものである。いくつかの設計では、送信機にリソースを割り振るための割振り器が提供され得る。
【０１０５】
図２９は、ワイヤレス通信のためのプロセス２９００のフローチャート表現である。ボックス２９０２において、基準信号のためのすべての利用可能な送信リソースのセットから、所与のサブフレーム中の基準信号に送信リソースのサブフレーム従属パターンを割り振る。ボックス２９０４において、そのセットからのすべての利用可能な送信リソースが少なくとも１回使用されるように、複数のサブフレームにわたって、割り振られたサブフレーム従属パターンを変更する。所与のサブフレーム中のサブフレーム従属パターンは、第１の信号および第２の信号に割り振られた送信リソースと重複しない。少なくとも複数のサブフレームからの１つのサブフレームにおいて、セットからの少なくとも１つの送信リソースが、基準信号の代わりに第１の信号に割り振られる。いくつかの設計では、第１の信号はＰＢＣＨまたはＳＳＳであり得、第２の信号はページング信号またはＳＩＢであり得る。
【０１０６】
図３０は、ワイヤレス通信装置の一部分３０００のブロック図表現である。モジュール３００２は、基準信号のためのすべての利用可能な送信リソースのセットから、所与のサブフレーム中の基準信号に送信リソースのサブフレーム従属パターンを割り振るためのものである。モジュール３００４は、そのセットからのすべての利用可能な送信リソースが少なくとも１回使用されるように、複数のサブフレームにわたって、割り振られたサブフレーム従属パターンを変更するためのものである。所与のサブフレーム中のサブフレーム従属パターンは、第１の信号および第２の信号に割り振られた送信リソースと重複しない。さらに、少なくとも複数のサブフレームからの１つのサブフレームにおいて、セットからの少なくとも１つの送信リソースが、基準信号の代わりに第１の信号に割り振られる。
【０１０７】
図３１は、ワイヤレス通信のためのプロセス３１００のフローチャート表現である。ボックス３１０２において、サブフレーム中の複数の利用可能なデータリソース要素（ＲＥ）を識別する。ボックス３１０４において、少なくとも１つの空間周波数ブロックコーディング（ＳＦＢＣ）グループおよび少なくとも１つの時空間ブロックコーディング（ＳＴＢＣ）グループ中でのデータ送信に複数の利用可能なデータＲＥを割り当て、それによって非グループ化ＲＥを生じない。
【０１０８】
図３２は、ワイヤレス通信装置の一部分３２００のブロック図表現である。モジュール３２０２は、サブフレーム中の複数の利用可能なデータリソース要素（ＲＥ）を識別するためのものである。モジュール３２０４は、少なくとも１つの空間周波数ブロックコーディング（ＳＦＢＣ）グループおよび少なくとも１つの時空間ブロックコーディング（ＳＴＢＣ）グループ中でのデータ送信に複数の利用可能なデータＲＥを割り当てるためのものであり、それによって未使用ＲＥを生じない。
【０１０９】
図３３は、ワイヤレス通信のためのプロセス３３００のフローチャート表現である。ボックス３３０２において、基準信号の送信に割り当てられたＲＥからのサブフレーム中で基準信号を受信する。このサブフレームは複数の残りのデータＲＥを備える。ボックス３３０４において、複数の残りのデータＲＥのうちの少なくとも１つからデータを受信する。このデータは、グループ内のすべての割り当てられたデータＲＥが、時間において互いのシンボルの所定数内にあり、周波数において互いのＲＥの第２の所定数内にあり、それによってサブフレーム中に少なくとも１つの非グループ化ＲＥを生じるように、ＲＥの所定数のグループ中で送信される（たとえば、図１５に示すように）。
【０１１０】
いくつかの設計では、基準信号はＣＳＩ−ＲＳである。いくつかの設計では、複数の残りのデータＲＥから受信されたデータは、空間周波数ブロック符号（ＳＦＢＣ）と時空間ブロック符号とのペアとして変調され得る。いくつかの設計では、ＲＥのグループ内でのデータ送信は、Ａｌａｍｏｕｔｉ方式などの送信ダイバーシティ方式を使用して実行され得る。
【０１１１】
図３４は、ワイヤレス通信装置の一部分３４００のブロック図表現である。モジュール３４０２は、基準信号の送信に割り当てられたＲＥからのサブフレーム中で基準信号を受信するためのものであり、そのサブフレームは複数の残りのデータＲＥを備える。モジュール３４０４は、複数の残りのデータＲＥのうちの少なくとも１つからデータを受信するためのものであり、そのデータは、グループ内のすべての割り当てられたデータＲＥが、時間において互いのシンボルの所定数内にあり、周波数において互いのＲＥの第２の所定数内にあり、それによってサブフレーム中に少なくとも１つの非グループ化ＲＥを生じるように、ＲＥの所定数のグループ中で送信される。
【０１１２】
図３５は、ワイヤレス通信のためのプロセス３５００のフローチャート表現である。ボックス３５０２において、シンボルのリソース要素（ＲＥ）のサブセット中での基準信号送信を受信し、そのシンボルの残りのＲＥの少なくとも一部はミュートされており、基準信号は、ブーストされた送信電力レベルにおいて受信される。モジュール３５０４において、受信した基準信号に基づいてフィードバックメッセージを送信する。
【０１１３】
図３６は、ワイヤレス通信装置の一部分３６００のブロック図表現である。モジュール３６０２は、シンボルのリソース要素（ＲＥ）のサブセット中での基準信号送信を受信するためのものであり、そのシンボルの残りのＲＥの少なくとも一部はミュートされており、基準信号は、ブーストされた送信電力レベルにおいて受信される。モジュール３６０４は、受信した基準信号に基づいてフィードバックメッセージを送信するためのものである。
【０１１４】
図３７は、ワイヤレス通信のためのプロセス３７００のフローチャート表現である。ボックス３７０２において、基準信号に割り当てられた非周期送信リソースパターンに関する情報を受信する。この非周期送信リソースパターンは複数のサブフレームの周期性を有する。ボックス３７０４において、その非周期送信リソースパターンに従って基準信号を受信する。
【０１１５】
図３８は、ワイヤレス通信装置の一部分３８００のブロック図表現である。モジュール３８０２は、基準信号に割り当てられた非周期送信リソースパターンに関する情報を受信するためのものであり、その非周期送信リソースパターンは複数のサブフレームの周期性を有する。モジュール３８０４は、その非周期送信リソースパターンに従って基準信号を受信するためのものである。
【０１１６】
図３９は、ワイヤレス通信のプロセス３９００のフローチャート表現である。ボックス３９０２において、基準信号に割り当てられた送信リソースのサブフレーム従属パターンを受信し、このサブフレーム従属パターンは、すべての利用可能な送信リソースが少なくとも１回使用されるように複数のサブフレームにわたって変更される。ボックス３９０４において、複数のサブフレーム中の別のサブフレーム中の基準信号に割り振られた送信リソースにおけるサブフレーム中で制御信号を受信する。前に説明したように、他の制御信号またはページング信号がいくつかのサブフレーム中で使用されるとき、いくつかのサブフレームは基準信号の送信を回避し得る。ただし、他のサブフレームでは、チャネルが一様に調査されることを保証するために、ＲＥは基準信号送信に割り振られ得る。
【０１１７】
図４０は、ワイヤレス通信装置の一部分４０００のブロック図表現である。モジュール４００２は、基準信号に割り当てられた送信リソースのサブフレーム従属パターンを受信するためのものであり、そのサブフレーム従属パターンは、すべての利用可能な送信リソースが少なくとも１回使用されるように複数のサブフレームにわたって変更される。モジュール４００４は、複数のサブフレーム中の別のサブフレーム中の基準信号に割り振られた送信リソースにおけるサブフレーム中で制御信号を受信するためのものである。
【０１１８】
図４１は、ワイヤレス通信のためのプロセス４１００のフローチャート表現である。ボックス４１０２において、サブフレーム中のリソース要素（ＲＥ）のサブセット中で基準信号を受信する。ボックス４１０４において、サブフレームのＲＥのサブセット中にないＲＥ中で、時空間ブロックコーディング（ＳＴＢＣ）グループを備える少なくとも１つのデータ送信を受信する。
【０１１９】
図４２は、ワイヤレス通信装置の一部分４２００のブロック図表現である。モジュール４２０２は、サブフレーム中のリソース要素（ＲＥ）のサブセット中で基準信号を受信するためのものである。モジュール４２０４は、サブフレームのＲＥのサブセット中にないＲＥ中で、時空間ブロックコーディング（ＳＴＢＣ）グループを備える少なくとも１つのデータ送信を受信するためのものである。
【０１２０】
図４３は、ワイヤレス通信のプロセス４３００のフローチャート表現である。ボックス４３０２において、サブフレームのリソースブロック中の利用可能なリソース要素のセットを識別し、利用可能なリソース要素のこのセット中のリソース要素はチャネル状態情報基準信号（ＣＳＩ−ＲＳ）シンボルのために利用され得る。ボックス４３０４において、利用可能なリソース要素のこのセットのサブセットを選択し、このサブセットは、送信アンテナの最大サポート数に適応するための十分なリソース要素を含む。ボックス４３０６において、ユーザ機器に１つまたは複数のＣＳＩ−ＲＳシンボルを送信するためにサブセットを利用する。
【０１２１】
図４４は、ワイヤレス通信のための装置の一部分４４００のブロック図表現である。モジュール４４０２は、サブフレームのリソースブロック中の利用可能なリソース要素のセットを識別するためのものであり、利用可能なリソース要素のそのセット中のリソース要素はチャネル状態情報基準信号（ＣＳＩ−ＲＳ）シンボルのために利用され得る。モジュール４４０４は、利用可能なリソース要素のそのセットのサブセットを選択するためのものであり、そのサブセットは、送信アンテナの最大サポート数に適応するための十分なリソース要素を含む。モジュール４４０６は、ユーザ機器に１つまたは複数のＣＳＩ−ＲＳシンボルを送信するためにサブセットを利用するためのものである。
【０１２２】
図４５は、ワイヤレス通信のプロセス４３００のフローチャート表現である。ボックス４５０２において、基準信号の送信のために使用される送信アンテナの数の関数としてリソースを割り振り、この関数は、送信アンテナの第１の数が送信アンテナの第２の数よりも大きいとき、第１の数に対応する第１のリソースパターンが、第２の数に対応する第２のリソースパターンのスーパーセットであるように、送信アンテナの数に関してネスティングされる。ボックス４５０４において、割振りメッセージ中で、割り振られたリソースを示す。前に説明したように、いくつかの設計では、アンテナポートにＣＳＩ−ＲＳ送信を割り振るためにネスト割振り方法が使用され得る。たとえば、いくつかの設計では、ＲＥは８つのアンテナポートに割り振られ得、それらは、４つのＴｘアンテナポートに割り振られたＲＥの２つの重複しないグループに分割可能であり、それらは、今度は、２つの各２ＴｘアンテナポートＣＳＩ−ＲＳ送信に分割可能である。図３〜図１２に関して前に説明したように、基準信号送信に割り振られたリソースパターンは、ＣＲＳおよびＵＥ−ＲＳ送信など、他の事前に割り振られたリソースパターンと重複し得ない。
【０１２３】
図４６は、ワイヤレス通信のための装置の一部分４６００のブロック図表現である。モジュール４６０２は、基準信号の送信のために使用される送信アンテナの数の関数としてリソースを割り振るために提供され、この関数は、送信アンテナの第１の数が送信アンテナの第２の数よりも大きいとき、第１の数に対応する第１のリソースパターンが、第２の数に対応する第２のリソースパターンのスーパーセットであるように、送信アンテナの数に関してネスティングされる。モジュール４６０４は、割振りメッセージ中で、割り振られたリソースを示すために提供される。この割振りメッセージは、上位レイヤメッセージであり得、サブフレーム中で割り振られるＲＥを指定するビットマップの形態であり得る。
【０１２４】
基準信号への送信リソースの割振りのためのいくつかの新しい技法が開示されることを諒解されよう。一態様では、この新しい技法は、ＬＴＥ  Ｒｅｌ１０におけるチャネル状態情報基準信号に適用され得る。
【０１２５】
さらに、上記で説明した様々な設計により、ＳＦＢＣペアが周波数において数トーンだけ分離されることが回避されることを諒解されよう。いくつかの設計は、ＳＦＢＣと組み合わせてＳＴＢＣを使用する。いくつかの設計はブランクＲＥを導入する。いくつかの設計は、あるＲＥ上では所定の送信方式（ビーム）を使用するが、他のＲＥ上では標準ＳＦＢＣ／ＳＦＢＣ−ＦＳＴＤを使用する、ＳＦＢＣ／単一アンテナポート送信を使用する。たとえば、いくつかの設計では、ＣＲＳポートが使用され得、すべてのＣＲＳポートが均等に使用されることを保証するためにＣＲＳポートがＲＢ上で変更されて、より良い電力バランシングを達成し得る。
【０１２６】
また、一態様では、リソースブロックからのリソース要素がいくつかの他の基準信号および必須の送信に割り当てられることを諒解されよう。レガシーシステム（たとえば、Ｒｅｌ８およびＲｅｌ−９）においてデータ送信のために利用可能であった残りのＲＥの中から、ＲＥが基準信号送信に割り当てられる。一態様では、データＲＥは、残りのデータＲＥがＳＦＢＣコーディングなどの変調技法を使用してデータ送信に割り振られ得るように基準信号に割り当てられ、それによって、ＲＥが基準信号に割り当てられているシンボル内に少なくとも１つの非グループ化ＲＥが生じる。
【０１２７】
いくつかの開示する設計では、あるセル中のデータＲＥは、他のセル中の基準信号送信のために使用されるロケーションではミュートされる。一態様では、他のセル中のミュートにより、所与のセル中の送信される基準信号が干渉をより受けなくなり、それによってチャネル特性のより効果的な較正がもたらされる。
【０１２８】
いくつかの開示する設計では、基準信号に割り当てられたＲＥのパターンが一定数のサブフレームにわたって周期的である。周期性は、送信される基準信号の電力をブーストする際に有用であり得る。
【０１２９】
いくつかの設計では、周波数において２トーン以上だけ分離されているトーン上でＳＦＢＣ方式を使用することを回避することによって、ＣＳＩ−ＲＳトーンとミュートされたトーンとを含んでいるシンボル上でＳＴＢＣおよびＳＴＢＣ−ＦＳＴＤが使用され得る。一態様では、これは、すべてのＣＲＳアンテナポートのほぼ均等な利用をもたらし得、ＣＲＳパターンと、ＣＳＩ−ＲＳパターンと、ミュートパターンとのすべての組合せのために機能し得る。
【０１３０】
いくつかの開示する設計では、ＲＥのパターンは、基準信号の送信のために利用可能なすべての可能なＲＥから、送信基地局の電力クラスに基づいて基準信号の送信に割り振られる。一態様では、電力クラスに基づく割振りは、異なる電力クラスの送信機に割り振られたＲＥが、時間、周波数または符号領域において相互に直交するように実行され得る。直交化は、マクロネットワーク、ピコネットワークおよびフェムトネットワークの協働的共存を助け得る。
【０１３１】
さらに、いくつかの開示する設計では、ＲＥは、すべての可能なＲＥがいくつかのサブフレーム上で割り振られるように、サブフレーム従属パターンにおいて基準信号の送信に割り振られ、それによって送信チャネルの帯域幅全体の実質的に一様なカバレージを与えることを諒解されたい。
【０１３２】
開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１３３】
情報および信号は多種多様な技術および技法のいずれかを使用して表され得ることを、当業者なら理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３４】
「例示的」という単語は、本明細書では、例、事例、または例示の働きをすることを意味するために使用される。「例示的」として本明細書で説明するいかなる態様または設計も、必ずしも他の態様または設計よりも好ましいまたは有利なものと解釈すべきではない。
【０１３５】
さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１３６】
本明細書で開示する実施形態に関して説明する様々な例示的な論理ブロック、モジュール、および回路（たとえば、識別器、割当て器、送信機および割振り器）は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３７】
１つまたは複数の例示的な実施形態では、説明した機能は、ハードウェア、ソフトウェア、ファームウェア、またはそれらの任意の組合せで実装され得る。ソフトウェアで実装される場合、機能は、コンピュータ可読媒体上に記憶されるか、あるいは１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用され得、コンピュータによってアクセスされ得る任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１３８】
開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
以下に、本願出願の当初の特許請求の範囲に記載された発明を付記する。
［Ｃ１］
サブフレーム中の複数の利用可能なデータリソース要素（ＲＥ）を識別することと、
グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの所定数のグループ中でのワイヤレスデバイスへのデータ送信のために前記複数の利用可能なデータＲＥからのＲＥを割り当てることとを備える、ワイヤレス通信の方法。
［Ｃ２］
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、Ｃ１に記載の方法。
［Ｃ３］
他のワイヤレスデバイスへの他の送信に前記少なくとも１つの非グループ化ＲＥを割り当てることをさらに備える、Ｃ１に記載の方法。
［Ｃ４］
前記ワイヤレスデバイスへの非データ送信のために前記少なくとも１つの非グループ化ＲＥを使用することをさらに備える、Ｃ１に記載の方法。
［Ｃ５］
任意の送信のために前記少なくとも１つの非グループ化ＲＥを使用することを控えることをさらに備える、Ｃ１に記載の方法。
［Ｃ６］
グループ内のすべてのデータＲＥが同じＯＦＤＭシンボル上にあるように、シンボルの前記所定数が０である、Ｃ１に記載の方法。
［Ｃ７］
ＲＥの前記第２の所定数が１および２のうちの一方である、Ｃ１に記載の方法。
［Ｃ８］
前記グループ化が、同じリソースブロック内のＲＥに制限される、Ｃ１に記載の方法。
［Ｃ９］
所定のミュートパターンでＣＳＩ−ＲＳ送信をミュートすることをさらに備える、Ｃ８に記載の方法。
［Ｃ１０］
ＲＥの前記第１の所定数が、別の基準信号の送信のために使用される送信アンテナポートの数の関数である、Ｃ１に記載の方法。
［Ｃ１１］
前記別の基準信号が共通基準信号（ＣＲＳ）を備える、Ｃ１０に記載の方法。
［Ｃ１２］
ＲＥの前記第１の所定数の前記グループが、Ａｌａｍｏｕｔｉ送信ダイバーシティ方式を使用して送信される空間周波数ブロック符号（ＳＦＢＣ）と時空間ブロック符号とのペアを備える、Ｃ１に記載の方法。
［Ｃ１３］
前記グループ化ＲＥ上での前記ワイヤレスデバイスへの前記データ送信のために使用される送信方式とは異なる送信方式を使用した前記ワイヤレスデバイスへの送信のために前記少なくとも１つの非グループ化ＲＥを使用することをさらに備える、Ｃ１に記載の方法。
［Ｃ１４］
サブフレーム中の複数の利用可能なデータリソース要素（ＲＥ）を識別するための手段と、
グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの所定数のグループ中でのワイヤレスデバイスへのデータ送信のために、前記複数の利用可能なデータＲＥからのＲＥを割り当てるための手段とを備える、ワイヤレス通信装置。
［Ｃ１５］
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、Ｃ１４に記載の装置。
［Ｃ１６］
他のワイヤレスデバイスからの他の送信に前記少なくとも１つの非グループ化ＲＥを割り当てるための手段をさらに備える、Ｃ１４に記載の装置。
［Ｃ１７］
前記ワイヤレスデバイスへの非データ送信のために前記少なくとも１つの非グループ化ＲＥを使用するための手段をさらに備える、Ｃ１４に記載の装置。
［Ｃ１８］
任意の送信のために前記少なくとも１つの非グループ化ＲＥを使用することを控えるための手段をさらに備える、Ｃ１４に記載の装置。
［Ｃ１９］
グループ内のすべてのデータＲＥが同じＯＦＤＭシンボル上にあるように、シンボルの前記所定数が０である、Ｃ１４に記載の装置。
［Ｃ２０］
ＲＥの前記第２の所定数が１および２のうちの一方である、Ｃ１４に記載の装置。
［Ｃ２１］
前記グループ化が、同じリソースブロック内のＲＥに制限される、Ｃ１４に記載の装置。
［Ｃ２２］
所定のミュートパターンでＣＳＩ−ＲＳ送信をミュートするための手段をさらに備える、Ｃ２１に記載の装置。
［Ｃ２３］
ＲＥの前記第１の所定数が、別の基準信号の送信のために使用される送信アンテナポートの数の関数である、Ｃ１４に記載の装置。
［Ｃ２４］
前記別の基準信号が共通基準信号（ＣＲＳ）を備える、Ｃ２３に記載の装置。
［Ｃ２５］
ＲＥの前記第１の所定数の前記グループが、Ａｌａｍｏｕｔｉ送信ダイバーシティ方式を使用して送信される空間周波数ブロック符号（ＳＦＢＣ）と時空間ブロック符号とのペアを備える、Ｃ１４に記載の装置。
［Ｃ２６］
前記グループ化ＲＥ上での前記ワイヤレスデバイスへの前記データ送信のために使用される送信方式とは異なる送信方式を使用した前記ワイヤレスデバイスへの送信のために前記少なくとも１つの非グループ化ＲＥを使用するための手段をさらに備える、Ｃ１４に記載の装置。
［Ｃ２７］
コンピュータ実行可能命令を記憶した不揮発性コンピュータ可読媒体を備えるコンピュータプログラム製品であって、前記命令は、
サブフレーム中の複数の利用可能なデータリソース要素（ＲＥ）を識別することと、
グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの所定数のグループ中でのワイヤレスデバイスへのデータ送信のために前記複数の利用可能なデータＲＥからのＲＥを割り当てることとを行うためのコードを備える、コンピュータプログラム製品。
［Ｃ２８］
サブフレーム中の複数の利用可能なデータリソース要素（ＲＥ）を識別することと、
グループ内のすべての割り当てられたデータＲＥが、時間領域において互いのシンボルの所定数内にあり、周波数領域において互いのサブキャリアの第２の所定数内にあり、それによって少なくとも１つの非グループ化ＲＥを生じるように、ＲＥの所定数のグループ中でのワイヤレスデバイスへのデータ送信のために前記複数の利用可能なデータＲＥからのＲＥを割り当てることと
を行うように構成されたプロセッサと、
前記プロセッサに結合されたメモリとを備える、ワイヤレス通信のための装置。
［Ｃ２９］
基準信号送信にシンボルのリソース要素（ＲＥ）を割り当てることと、
前記シンボルの残りのＲＥの少なくとも一部をミュートし、それによって前記ミュートされたＲＥ上でデータを送信することを控えることと、
前記基準信号の送信電力をブーストすることによって前記基準信号を送信することとを備える、ワイヤレス通信の方法。
［Ｃ３０］
前記ミュートされたＲＥが、少なくとも１つの他のセル中での前記基準信号の送信のために使用される送信リソースを備える、Ｃ２９に記載の方法。
［Ｃ３１］
前記基準信号がチャネル状態情報基準信号（ＣＳＩ−ＲＳ）を備える、Ｃ２９に記載の方法。
［Ｃ３２］
基準信号送信へのシンボルのリソース要素（ＲＥ）のための手段と、
前記シンボルの残りのＲＥの少なくとも一部をミュートし、それによって前記ミュートされたＲＥ上でデータを送信することを控えるための手段と、
前記基準信号の送信電力をブーストすることによって前記基準信号を送信するための手段とを備える、ワイヤレス通信装置。
［Ｃ３３］
前記ミュートされたＲＥが、少なくとも１つの他のセル中での基準信号の送信のために使用される送信リソースを備える、Ｃ３２に記載の装置。
［Ｃ３４］
前記基準信号がチャネル状態情報基準信号（ＣＳＩ−ＲＳ）を備える、Ｃ３２に記載の装置。
［Ｃ３５］
命令を記憶した不揮発性コンピュータ可読媒体を備えるコンピュータプログラム製品であって、前記命令が、
基準信号送信にシンボルのリソース要素（ＲＥ）を割り当てることと、
前記シンボルの残りのＲＥの少なくとも一部をミュートし、それによって前記ミュートされたＲＥ上でデータを送信することを控えることと、
前記基準信号の送信電力をブーストすることによって前記基準信号を送信することとを行うためのコードを備える、コンピュータプログラム製品。
［Ｃ３６］
基準信号送信にシンボルのリソース要素（ＲＥ）を割り当てることと、
前記シンボルの残りのＲＥの少なくとも一部をミュートし、それによって前記ミュートされたＲＥ上でデータを送信することを控えることと、
前記基準信号の送信電力をブーストすることによって前記基準信号を送信することと
を行うように構成されたプロセッサと、
前記プロセッサに結合されたメモリとを備える、ワイヤレス通信のための装置。
［Ｃ３７］
前記ミュートされたＲＥが、少なくとも１つの他のセル中での基準信号の送信のために使用される送信リソースを備える、Ｃ３６に記載の装置。
［Ｃ３８］
前記基準信号がチャネル状態情報基準信号（ＣＳＩ−ＲＳ）を備える、Ｃ３６に記載の装置。
［Ｃ３９］
基準信号に複数のサブフレームの周期性を有する非周期送信リソースパターンを割り当てることと、
前記非周期送信リソースパターンに従って前記基準信号を送信することとを備える、ワイヤレス通信方法。
［Ｃ４０］
前記基準信号がチャネル状態情報基準信号（ＣＳＩ−ＲＳ）を備える、Ｃ３９に記載の方法。
［Ｃ４１］
ダウンリンクメッセージ中で前記非周期送信リソースパターンを通信することをさらに備える、Ｃ３９に記載の方法。
［Ｃ４２］
前記通信することが、ビットマップを通信することを備える、Ｃ４１に記載の方法。
［Ｃ４３］
リレーデバイスが同じ送信サブフレーム中で前記基準信号を受信および送信する必要性を回避するために、前記非周期送信が割り当てられる、Ｃ３９に記載の方法。
［Ｃ４４］
基準信号に複数のサブフレームの周期性を有する非周期送信リソースパターンを割り当てるための手段と、
前記非周期送信リソースパターンに従って前記基準信号を送信するための手段とを備える、ワイヤレス通信装置。
［Ｃ４５］
前記基準信号がチャネル状態情報基準信号（ＣＳＩ−ＲＳ）を備える、Ｃ４４に記載の装置。
［Ｃ４６］
ダウンリンクメッセージ中で前記非周期送信リソースパターンを通信するための手段をさらに備える、Ｃ４４に記載の装置。
［Ｃ４７］
前記通信するための手段が、ビットマップを通信するための手段を備える、Ｃ４６に記載の装置。
［Ｃ４８］
リレーデバイスが同じ送信サブフレーム中で前記基準信号を受信および送信する必要性を回避するために、前記非周期送信が割り当てられる、Ｃ４４に記載の装置。
［Ｃ４９］
基準信号の送信機の電力クラスに応じて前記送信機にリソースを割り振ることと、
前記割り振られたリソースを使用して、前記送信機からの前記基準信号の送信を実行することとを備える、ワイヤレス通信方法。
［Ｃ５０］
前記基準信号がチャネル状態情報基準信号（ＣＳＩ−ＲＳ）を備える、Ｃ４９に記載の方法。
［Ｃ５１］
前記電力クラスが、マクロ電力クラス、ピコ電力クラスおよびフェムト電力クラスのうちの１つを備える、Ｃ４９に記載の方法。
［Ｃ５２］
基準信号の送信機の電力クラスに応じて前記送信機にリソースを割り振るための手段と、
前記割り振られたリソースを使用して、前記送信機からの前記基準信号の送信を実行するための手段とを備える、ワイヤレス通信装置。
［Ｃ５３］
前記基準信号がチャネル状態情報基準信号（ＣＳＩ−ＲＳ）を備える、Ｃ５２に記載の装置。
［Ｃ５４］
前記電力クラスが、マクロ電力クラス、ピコ電力クラスおよびフェムト電力クラスのうちの１つを備える、Ｃ５２に記載の装置。
［Ｃ５５］
命令を記憶した不揮発性コンピュータ可読媒体を備えるコンピュータプログラム製品であって、前記命令が、
基準信号の送信機の電力クラスに応じて前記送信機にリソースを割り振ることと、
前記割り振られたリソースを使用して、前記送信機からの前記基準信号の送信を実行することとを行うためのコードを備える、コンピュータプログラム製品。
［Ｃ５６］
基準信号の送信機の電力クラスに応じて前記送信機にリソースを割り振ることと、
前記割り振られたリソースを使用して、前記送信機からの前記基準信号の送信を実行することと
を行うように構成されたプロセッサと、
前記プロセッサに結合されたメモリとを備える、ワイヤレス通信のための装置。
［Ｃ５７］
前記基準信号がチャネル状態情報基準信号（ＣＳＩ−ＲＳ）を備え、前記電力クラスが、マクロ電力クラス、ピコ電力クラスおよびフェムト電力クラスのうちの１つを備える、Ｃ５６に記載の装置。
［Ｃ５８］
基準信号のためのすべての利用可能な送信リソースのセットから、所与のサブフレーム中の前記基準信号に送信リソースのサブフレーム従属パターンを割り振ることと、
前記セットからのすべての利用可能な送信リソースが少なくとも１回使用されるように、複数のサブフレームにわたって前記割り振られたサブフレーム従属パターンを変更することとを備え、
前記所与のサブフレーム中の前記サブフレーム従属パターンが、第１の信号および第２の信号に割り振られた送信リソースと重複せず、
少なくとも前記複数のサブフレームからの１つのサブフレームにおいて、前記セットからの少なくとも１つの送信リソースが、前記基準信号の代わりに前記第１の信号に割り振られる、ワイヤレス通信方法。
［Ｃ５９］
前記第１の信号が物理ブロードキャストチャネル（ＰＢＣＨ）と同期信号（ＳＳＳ）送信とのうちの一方を備え、前記第２の信号がページング信号とシステム情報ブロック（ＳＩＢ）とのうちの一方を備える、Ｃ５８に記載の方法。
［Ｃ６０］
前記基準信号がチャネル状態情報基準信号（ＣＳＩ−ＲＳ）を備える、Ｃ５８に記載の方法。
［Ｃ６１］
基準信号のためのすべての利用可能な送信リソースのセットから、所与のサブフレーム中の前記基準信号に送信リソースのサブフレーム従属パターンを割り振るための手段と、
前記セットからのすべての利用可能な送信リソースが少なくとも１回使用されるように、複数のサブフレームにわたって前記割り振られたサブフレーム従属パターンを変更するための手段とを備え、
前記所与のサブフレーム中の前記サブフレーム従属パターンが、第１の信号および第２の信号に割り振られた送信リソースと重複せず、
少なくとも前記複数のサブフレームからの１つのサブフレームにおいて、前記セットからの少なくとも１つの送信リソースが、前記基準信号の代わりに前記第１の信号に割り振られる、ワイヤレス通信装置。
［Ｃ６２］
前記第１の信号が物理ブロードキャストチャネル（ＰＢＣＨ）と同期信号（ＳＳＳ）送信とのうちの一方を備え、前記第２の信号がページング信号とシステム情報ブロック（ＳＩＢ）とのうちの一方を備える、Ｃ６１に記載の装置。
［Ｃ６３］
前記基準信号がチャネル状態情報基準信号（ＣＳＩ−ＲＳ）を備える、Ｃ６１に記載の装置。
［Ｃ６４］
命令を記憶した不揮発性コンピュータ可読媒体を備えるコンピュータプログラム製品であって、前記命令が、
基準信号のためのすべての利用可能な送信リソースのセットから、所与のサブフレーム中の前記基準信号に送信リソースのサブフレーム従属パターンを割り振ることと、
前記セットからのすべての利用可能な送信リソースが少なくとも１回使用されるように、複数のサブフレームにわたって前記割り振られたサブフレーム従属パターンを変更することとを行うためのコードを備え、
前記所与のサブフレーム中の前記サブフレーム従属パターンが、第１の信号および第２の信号に割り振られた送信リソースと重複せず、
少なくとも前記複数のサブフレームからの１つのサブフレームにおいて、前記セットからの少なくとも１つの送信リソースが、前記基準信号の代わりに前記第１の信号に割り振られる、コンピュータプログラム製品。
［Ｃ６５］
基準信号のためのすべての利用可能な送信リソースのセットから、所与のサブフレーム中の前記基準信号に送信リソースのサブフレーム従属パターンを割り振ることと、
前記セットからのすべての利用可能な送信リソースが少なくとも１回使用されるように、複数のサブフレームにわたって前記割り振られたサブフレーム従属パターンを変更することとを行うように構成された、ワイヤレス通信プロセッサであって、
前記所与のサブフレーム中の前記サブフレーム従属パターンが、第１の信号および第２の信号に割り振られた送信リソースと重複せず、
少なくとも前記複数のサブフレームからの１つのサブフレームにおいて、前記セットからの少なくとも１つの送信リソースが、前記基準信号の代わりに前記第１の信号に割り振られる、ワイヤレス通信プロセッサ。
［Ｃ６６］
前記第１の信号が物理ブロードキャストチャネル（ＰＢＣＨ）と同期信号（ＳＳＳ）送信とのうちの一方を備え、前記第２の信号がページング信号とシステム情報ブロック（ＳＩＢ）とのうちの一方を備え、前記基準信号がチャネル状態情報基準信号（ＣＳＩ−ＲＳ）を備える、Ｃ６５に記載のプロセッサ。
［Ｃ６７］
サブフレーム中の複数の利用可能なデータリソース要素（ＲＥ）を識別することと、
少なくとも１つの空間周波数ブロックコーディング（ＳＦＢＣ）グループおよび少なくとも１つの時空間ブロックコーディング（ＳＴＢＣ）グループ中でのデータ送信に前記複数の利用可能なデータＲＥを割り当てることであって、それによって未使用ＲＥを生じない、割り当てることとを備える、ワイヤレス通信方法。
［Ｃ６８］
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、Ｃ６７に記載の方法。
［Ｃ６９］
サブフレーム中の複数の利用可能なデータリソース要素（ＲＥ）を識別するための手段と、
少なくとも１つの空間周波数ブロックコーディング（ＳＦＢＣ）グループおよび少なくとも１つの時空間ブロックコーディング（ＳＴＢＣ）グループ中でのデータ送信に前記複数の残りのデータＲＥのすべてを割り当てるための手段であって、それによって非グループ化ＲＥを生じない、手段とを備える、ワイヤレス通信装置。
［Ｃ７０］
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、Ｃ６９に記載の装置。
［Ｃ７１］
命令を記憶した不揮発性コンピュータ可読媒体を備えるコンピュータプログラム製品であって、前記命令が、
サブフレーム中の複数の利用可能なデータリソース要素（ＲＥ）を識別することと、
少なくとも１つの空間周波数ブロックコーディング（ＳＦＢＣ）グループおよび少なくとも１つの時空間ブロックコーディング（ＳＴＢＣ）グループ中でのデータ送信に前記複数の残りのデータＲＥのすべてを割り当てることであって、それによって非グループ化ＲＥを生じない、割り当てることとを行うためのコードを備える、コンピュータプログラム製品。
［Ｃ７２］
サブフレーム中の複数の利用可能なデータリソース要素（ＲＥ）を識別することと、
少なくとも１つの空間周波数ブロックコーディング（ＳＦＢＣ）グループおよび少なくとも１つの時空間ブロックコーディング（ＳＴＢＣ）グループ中でのデータ送信に前記複数の残りのデータＲＥのすべてを割り当てることであって、それによって非グループ化ＲＥを生じない、割り当てることとを行うように構成された、ワイヤレス通信プロセッサ。
［Ｃ７３］
前記複数の利用可能なデータＲＥが、チャネル状態情報基準信号（ＣＳＩ−ＲＳ）ＲＥとミュートされたＣＳＩ−ＲＳ  ＲＥとのうちの一方に割り当てられていないデータＲＥを備える、Ｃ７２に記載のプロセッサ。
［Ｃ７４］
基準信号の送信に割り当てられたＲＥからのサブフレーム中で前記基準信号を受信することであって、前記サブフレームが複数の残りのデータＲＥを備える、受信することと、
前記複数の残りのデータＲＥのうちの少なくとも１つからデータを受信することであって、前記データは、グループ内のすべての割り当てられたデータＲＥが、時間において互いのシンボルの所定数内にあり、周波数において互いのＲＥの第２の所定数内にあり、それによって少なくとも１つの非グループ化ＲＥを生じるように、ＲＥの所定数のグループ中で送信される、受信することとを備える、ワイヤレス通信の方法。
［Ｃ７５］
前記基準信号がチャネル状態情報基準信号（ＣＳＩ−ＲＳ）を備える、Ｃ７４に記載の方法。
［Ｃ７６］
ＲＥの前記第１の所定数の前記グループが、空間周波数ブロック符号（ＳＦＢＣ）と時空間ブロック符号とのペアを備える、Ｃ７４に記載の方法。
［Ｃ７７］
ＲＥの前記グループ内での前記データ送信が送信ダイバーシティ方式を備える、Ｃ７４に記載の方法。
［Ｃ７８］
前記送信ダイバーシティがＡｌａｍｏｕｔｉ方式を備える、Ｃ７７に記載の方法。
［Ｃ７９］
基準信号の送信に割り当てられたＲＥからのサブフレーム中で前記基準信号を受信するための手段であって、前記サブフレームが複数の残りのデータＲＥを備える、手段と、
前記複数の残りのデータＲＥのうちの少なくとも１つからデータを受信するための手段であって、前記データは、グループ内のすべての割り当てられたデータＲＥが、時間において互いのシンボルの所定数内にあり、周波数において互いのＲＥの第２の所定数内にあり、それによって少なくとも１つの非グループ化ＲＥを生じるように、ＲＥの所定数のグループ中で送信される、手段とを備える、ワイヤレス通信装置。
［Ｃ８０］
前記基準信号がチャネル状態情報基準信号（ＣＳＩ−ＲＳ）を備える、Ｃ７９に記載の装置。
［Ｃ８１］
ＲＥの前記第１の所定数の前記グループが、空間周波数ブロック符号（ＳＦＢＣ）と時空間ブロック符号とのペアを備える、Ｃ７９に記載の装置。
［Ｃ８２］
ＲＥの前記グループ内での前記データ送信が送信ダイバーシティ方式を備える、Ｃ７９に記載の装置。
［Ｃ８３］
前記送信ダイバーシティがＡｌａｍｏｕｔｉ方式を備える、Ｃ８２に記載の装置。
［Ｃ８４］
シンボルのリソース要素（ＲＥ）のサブセット中での基準信号送信を受信することであって、前記シンボルの残りのＲＥの少なくとも一部がミュートされており、前記基準信号が、ブーストされた送信電力レベルにおいて受信される、受信することと、
前記受信した基準信号に基づいてフィードバックメッセージを送信することとを備える、ワイヤレス通信の方法。
［Ｃ８５］
前記基準信号がチャネル状態情報基準信号（ＣＳＩ−ＲＳ）を備える、Ｃ８４に記載の方法。
［Ｃ８６］
シンボルのリソース要素（ＲＥ）のサブセット中での基準信号送信を受信するための手段であって、前記シンボルの残りのＲＥの少なくとも一部がミュートされており、前記基準信号が、ブーストされた送信電力レベルにおいて受信される、手段と、
前記受信した基準信号に基づいてフィードバックメッセージを送信するための手段とを備える、ワイヤレス通信装置。
［Ｃ８７］
前記基準信号がチャネル状態情報基準信号（ＣＳＩ−ＲＳ）を備える、Ｃ８６に記載の装置。
［Ｃ８８］
基準信号に割り当てられた非周期送信リソースパターンに関する情報を受信することであって、前記非周期送信リソースパターンが複数のサブフレームの周期性を有する、受信することと、
前記非周期送信リソースパターンに従って前記基準信号を受信することとを備える、ワイヤレス通信方法。
［Ｃ８９］
前記基準信号がチャネル状態情報基準信号（ＣＳＩ−ＲＳ）を備える、Ｃ８８に記載の方法。
［Ｃ９０］
前記情報がビットマップを備える、Ｃ８８に記載の方法。
［Ｃ９１］
基準信号に割り当てられた非周期送信リソースパターンに関する情報を受信するための手段であって、前記非周期送信リソースパターンが複数のサブフレームの周期性を有する、手段と、
前記非周期送信リソースパターンに従って前記基準信号を受信するための手段とを備える、ワイヤレス通信装置。
［Ｃ９２］
前記基準信号がチャネル状態情報基準信号（ＣＳＩ−ＲＳ）を備える、Ｃ９１に記載の装置。
［Ｃ９３］
前記情報がビットマップを備える、Ｃ９１に記載の装置。
［Ｃ９４］
基準信号に割り当てられた送信リソースのサブフレーム従属パターンを受信することであって、前記サブフレーム従属パターンは、すべての利用可能な送信リソースが少なくとも１回使用されるように複数のサブフレームにわたって変更される、受信することと、
前記複数のサブフレーム中の別のサブフレーム中の前記基準信号に割り振られた送信リソースにおけるサブフレーム中で制御信号を受信することとを備える、ワイヤレス通信方法。
［Ｃ９５］
前記基準信号がチャネル状態情報基準信号（ＣＳＩ−ＲＳ）を備える、Ｃ９４に記載の方法。
［Ｃ９６］
前記サブフレーム従属パターンを前記受信することが、上位レイヤメッセージ中の前記サブフレーム従属パターンを受信することを備える、Ｃ９４に記載の方法。
［Ｃ９７］
基準信号に割り当てられた送信リソースのサブフレーム従属パターンを受信するための手段であって、前記サブフレーム従属パターンは、すべての利用可能な送信リソースが少なくとも１回使用されるように複数のサブフレームにわたって変更される、手段と、
前記複数のサブフレーム中の別のサブフレーム中の前記基準信号に割り振られた送信リソースにおけるサブフレーム中で制御信号を受信するための手段とを備える、ワイヤレス通信装置。
［Ｃ９８］
サブフレーム中のリソース要素（ＲＥ）のサブセット中で基準信号を受信することと、
前記サブフレームのＲＥの前記サブセット中にないＲＥ中で、時空間ブロックコーディング（ＳＴＢＣ）グループを備える少なくとも１つのデータ送信を受信することとを備える、ワイヤレス通信方法。
［Ｃ９９］
前記基準信号がチャネル状態情報基準信号（ＣＳＩ−ＲＳ）を備える、Ｃ９８に記載の方法。
［Ｃ１００］
サブフレーム中のリソース要素（ＲＥ）のサブセット中で基準信号を受信するための手段と、
前記サブフレームのＲＥの前記サブセット中にないＲＥ中で、時空間ブロックコーディング（ＳＴＢＣ）グループを備える少なくとも１つのデータ送信を受信するための手段とを備える、ワイヤレス通信装置。
［Ｃ１０１］
サブフレームのリソースブロック中の利用可能なリソース要素のセットを識別することであって、利用可能なリソース要素の前記セット中のリソース要素がチャネル状態情報基準信号（ＣＳＩ−ＲＳ）シンボルのために利用され得る、識別することと、
利用可能なリソース要素の前記セットのサブセットを選択することであって、前記サブセットが、送信アンテナの最大サポート数に適応するための十分なリソース要素を含む、選択することと、
ユーザ機器に１つまたは複数のＣＳＩ−ＲＳシンボルを送信するために前記サブセットを利用することとを備える、ワイヤレス通信システムにおいて使用される方法。
［Ｃ１０２］
利用可能なリソース要素の前記セットが、共通基準信号シンボルのために採用されるリソース要素のセットに対して独立している、Ｃ１０１に記載の方法。
［Ｃ１０３］
利用可能なリソース要素の前記セットが、ＵＥ固有基準信号シンボルのために採用されるリソース要素のセットに対して独立している、Ｃ１０１に記載の方法。
［Ｃ１０４］
利用可能なリソース要素の前記セット中のリソース要素の数を識別することと、
リソース要素の前記数に基づいて時空間ブロックコーディングに切り替えることとをさらに備える、Ｃ１０１に記載の方法。
［Ｃ１０５］
前記サブセットを選択することが、サブフレームインデックス、無線フレームインデックス、またはセル識別子のうちの少なくとも１つに基づいてリソース要素のグループを識別することを備える、Ｃ１０１に記載の方法。
［Ｃ１０６］
時空間ブロックコーディングのために使用されるペアのリソース要素を割り当てることであって、所与のペア中のリソース要素がリソース要素の所定数よりも少なく離れている、割り当てることをさらに備える、Ｃ１０４に記載の方法。
［Ｃ１０７］
前記割り当てることは、少なくとも１つのペアが、前記リソースブロックからのリソース要素と、前記リソースブロックに連続する第２のリソースブロックからのリソース要素とを備えるように、前記第２のリソースブロック中のリソース要素を割り当てることをさらに備える、Ｃ１０６に記載の方法。
［Ｃ１０８］
前記ＳＦＢＣペアのために選択された前記リソース要素が、同じリソースブロックおよび同じＯＦＤＭシンボル中にある、Ｃ１０６に記載の方法。
［Ｃ１０９］
サブフレームのリソースブロック中の利用可能なリソース要素のセットを識別するための手段であって、利用可能なリソース要素の前記セット中のリソース要素がチャネル状態情報基準信号（ＣＳＩ−ＲＳ）シンボルのために利用され得る、手段と、
利用可能なリソース要素の前記セットのサブセットを選択するための手段であって、前記サブセットが、送信アンテナの最大サポート数に適応するための十分なリソース要素を含む、手段と、
ユーザ機器に１つまたは複数のＣＳＩ−ＲＳシンボルを送信するために前記サブセットを利用するための手段とを備える、ワイヤレス通信のための装置。
［Ｃ１１０］
利用可能なリソース要素の前記セットが、共通基準信号シンボルのために採用されるリソース要素のセットに対して独立している、Ｃ１０９に記載の装置。
［Ｃ１１１］
利用可能なリソース要素の前記セットが、ＵＥ固有基準信号シンボルのために採用されるリソース要素のセットに対して独立している、Ｃ１０９に記載の装置。
［Ｃ１１２］
利用可能なリソース要素の前記セット中のリソース要素の数を識別するための手段と、
リソース要素の前記数に基づいて時空間ブロックコーディングに切り替えるための手段とをさらに備える、Ｃ１０９に記載の装置。
［Ｃ１１３］
前記サブセットを選択するための前記手段が、サブフレームインデックス、無線フレームインデックス、またはセル識別子のうちの少なくとも１つに基づいてリソース要素のグループを識別するための手段を備える、Ｃ１０９に記載の装置。
［Ｃ１１４］
前記切り替えるための手段が、時空間ブロックコーディングのために使用されるペアのリソース要素を割り当てるための手段を含み、所与のペア中のリソース要素がリソース要素の所定数よりも少なく離れている、Ｃ１１２に記載の装置。
［Ｃ１１５］
前記割り当てるための手段は、少なくとも１つのペアが、前記リソースブロックからのリソース要素と、前記リソースブロックに連続する第２のリソースブロックからのリソース要素とを備えるように、前記第２のリソースブロック中のリソース要素を割り当てるための手段をさらに備える、Ｃ１１４に記載の装置。
［Ｃ１１６］
前記ＳＦＢＣペアのために選択された前記リソース要素が、同じリソースブロックおよび同じＯＦＤＭシンボル中にある、Ｃ１１４に記載の装置。
［Ｃ１１７］
ワイヤレス通信システムにおける基準信号の送信のためにリソースを割り振るための方法であって、
前記基準信号の送信のために使用される送信アンテナの数の関数としてリソースを割り振ることであって、前記関数は、送信アンテナの第１の数が送信アンテナの第２の数よりも大きいとき、前記第１の数に対応する第１のリソースパターンが前記第２の数に対応する第２のリソースパターンのスーパーセットであるように、送信アンテナの前記数に関してネスティングされる、割り振ることと、
割振りメッセージ中で前記割り振られたリソースを示すこととを備える方法。
［Ｃ１１８］
前記基準信号がチャネル状態情報基準信号（ＣＳＩ−ＲＳ）を備える、Ｃ１１７に記載の方法。
［Ｃ１１９］
アンテナの最大数に対応するリソースパターンが、事前に割り振られたリソースパターンと重複しない、Ｃ１１７に記載の方法。
［Ｃ１２０］
アンテナの前記最大数に対応する前記リソースパターンをサブフレームの所定数に制限することをさらに備える、Ｃ１１９に記載の方法。
［Ｃ１２１］
前記事前に割り振られたリソースパターンが制御信号送信に割り振られる、Ｃ１１９に記載の方法。
［Ｃ１２２］
ワイヤレス通信システムにおける基準信号の送信のためにリソースを割り振るための装置であって、
前記基準信号の送信のために使用される送信アンテナの数の関数としてリソースを割り振るための手段であって、前記関数は、送信アンテナの第１の数が送信アンテナの第２の数よりも大きいとき、前記第１の数に対応する第１のリソースパターンが前記第２の数に対応する第２のリソースパターンのスーパーセットであるように、送信アンテナの前記数に関してネスティングされる、手段と、
割振りメッセージ中で前記割り振られたリソースを示すための手段とを備える装置。
【図１】
0005612132.tif 000005
【図２】
0005612132.tif 000006
【図３】
0005612132.tif 000007
【図４Ａ】
0005612132.tif 000008
【図４Ｂ】
0005612132.tif 000009
【図４Ｃ】
0005612132.tif 000010
【図５】
0005612132.tif 000011
【図６】
0005612132.tif 000012
【図７】
0005612132.tif 000013
【図８】
0005612132.tif 000014
【図９】
0005612132.tif 000015
【図１０】
0005612132.tif 000016
【図１１】
0005612132.tif 000017
【図１２】
0005612132.tif 000018
【図１３】
0005612132.tif 000019
【図１４】
0005612132.tif 000020
【図１５】
0005612132.tif 000021
【図１６】
0005612132.tif 000022
【図１７】
0005612132.tif 000023
【図１８】
0005612132.tif 000024
【図１９】
0005612132.tif 000025
【図２０】
0005612132.tif 000026
【図２１】
0005612132.tif 000027
【図２２】
0005612132.tif 000028
【図２３】
0005612132.tif 000029
【図２４】
0005612132.tif 000030
【図２５】
0005612132.tif 000031
【図２６】
0005612132.tif 000032
【図２７】
0005612132.tif 000033
【図２８】
0005612132.tif 000034
【図２９】
0005612132.tif 000035
【図３０】
0005612132.tif 000036
【図３１】
0005612132.tif 000037
【図３２】
0005612132.tif 000038
【図３３】
0005612132.tif 000039
【図３４】
0005612132.tif 000040
【図３５】
0005612132.tif 000041
【図３６】
0005612132.tif 000042
【図３７】
0005612132.tif 000043
【図３８】
0005612132.tif 000044
【図３９】
0005612132.tif 000045
【図４０】
0005612132.tif 000046
【図４１】
0005612132.tif 000047
【図４２】
0005612132.tif 000048
【図４３】
0005612132.tif 000049
【図４４】
0005612132.tif 000050
【図４５】
0005612132.tif 000051
【図４６】
0005612132.tif 000052